(57)【特許請求の範囲】
【請求項１】
送信電力制御の方法であって、
サブフレームにおける特定のシンボルに関して、第１のアップリンク送信および第２のアップリンク送信が、前記特定のシンボル中の送信のためにスケジューリングされることを決定することと、ここにおいて、前記第１のアップリンク送信は、第１の持続時間を有する第１の伝送時間間隔（ＴＴＩ）と第１の送信電力とに関連付けられ、前記第２のアップリンク送信は、第２の持続時間を有する第２のＴＴＩと第２の送信電力とに関連付けられ、前記第１の持続時間は、前記第２の持続時間とは異なり、
前記第１のアップリンク送信および前記第２のアップリンク送信が前記サブフレームの前記特定のシンボル中の送信のためにスケジューリングされることを前記決定することに基づいて、前記第１の送信電力または前記第２の送信電力の一方または両方に関して電力制限条件が満たされていると決定することと、
前記電力制限条件が満たされていると前記決定することに基づいて、前記第１の送信電力または前記第２の送信電力の一方または両方を調整することと、
前記第１の送信電力または前記第２の送信電力の一方または両方を前記調整することに基づいて、前記特定のシンボル中に前記第１のアップリンク送信または前記第２のアップリンク送信のうちの少なくとも１つを送信することと
を備える、方法。
【請求項２】
前記第１のＴＴＩに関する第１の最大電力および前記第２のＴＴＩに関する第２の最大電力の構成を受信することをさらに備える、請求項１に記載の方法。
【請求項３】
前記第１のＴＴＩに関する前記電力制限条件は、前記第１の送信電力と前記第１の最大電力の比較に基づいて決定され、前記第１の送信電力は、前記電力制限条件が満たされているときに前記第１の最大電力に基づいて調整される、請求項２に記載の方法。
【請求項４】
前記第２のＴＴＩに関する前記電力制限条件は、前記第２の送信電力と前記第２の最大電力の比較に基づいて決定され、前記第２の送信電力は、前記電力制限条件が満たされているときに前記第２の最大電力に基づいて調整される、請求項２に記載の方法。
【請求項５】
前記電力制限条件は、前記第１の送信電力と前記第２の送信電力の合計の、前記特定のシンボルの総送信電力との比較に基づいている、請求項１に記載の方法。
【請求項６】
電力制御モードを示す構成を受信することと、
前記電力制御モードにさらに基づいて送信電力調整を行うことと
をさらに備える、請求項１に記載の方法。
【請求項７】
前記第１の送信電力または前記第２の送信電力の一方または両方を前記調整することは、前記第１の送信電力と前記第２の送信電力の合計が前記特定のシンボルの総送信電力を超えないように、前記第１の送信電力または前記第２の送信電力の一方または両方をスケーリングすることを備える、請求項１に記載の方法。
【請求項８】
前記第２の送信電力よりも前記第１の送信電力を優先することをさらに備え、前記第１の送信電力または前記第２の送信電力の一方または両方を調整することは、前記第２の送信電力を保証最小送信電力に調整することを備える、請求項１に記載の方法。
【請求項９】
前記第１の送信電力または前記第２の送信電力の一方または両方を調整した後に、前記特定のシンボル中に前記第１のアップリンク送信および前記第２のアップリンク送信を送信することをさらに備える、請求項１に記載の方法。
【請求項１０】
前記第１のアップリンク送信は、超低レイテンシ（ＵＬＬ）アップリンク送信であり、前記第２のアップリンク送信は、レガシーアップリンク送信である、請求項１に記載の方法。
【請求項１１】
前記第２の持続時間は１サブフレームに相当し、前記第１の持続時間は１より小さいサブフレームに相当する、請求項１に記載の方法。
【請求項１２】
前記調整することは、前記第１のアップリンク送信に関連付けられた変調方式にさらに基づいて行われる、請求項１に記載の方法。
【請求項１３】
前記調整することは、前記第２のアップリンク送信に関連付けられた変調方式にさらに基づいて行われる、請求項１に記載の方法。
【請求項１４】
前記調整することは、前記第１のアップリンク送信または前記第２のアップリンク送信に関連付けられたチャネルのタイプに基づいて行われる、請求項１に記載の方法。
【請求項１５】
送信電力制御を行うための装置であって、
サブフレームの特定のシンボルに関して、第１のアップリンク送信および第２のアップリンク送信が、前記特定のシンボル中の送信のためにスケジューリングされることを決定するための手段と、ここにおいて、前記第１のアップリンク送信は、第１の持続時間を有する第１の伝送時間間隔（ＴＴＩ）と第１の送信電力とに関連付けられ、前記第２のアップリンク送信は、第２の持続時間を有する第２のＴＴＩと第２の送信電力とに関連付けられ、前記第１の持続時間は、前記第２の持続時間とは異なり、
前記第１のアップリンク送信および前記第２のアップリンク送信が前記サブフレームの前記特定のシンボル中の送信のためにスケジューリングされることを決定するための前記手段に基づいて、前記第１の送信電力または前記第２の送信電力の一方または両方に関して電力制限条件が満たされていると決定するための手段と、
前記電力制限条件が満たされていると決定するための前記手段に基づいて、前記第１の送信電力または前記第２の送信電力の一方または両方を調整するための手段と、
前記第１の送信電力または前記第２の送信電力の一方または両方を調整するための前記手段に基づいて、前記特定のシンボル中に前記第１のアップリンク送信または前記第２のアップリンク送信のうちの少なくとも１つを送信するための手段と
を備える、装置。
【請求項１６】
送信電力制御のためのコンピュータ実行可能コードを記憶する非一時的なコンピュータ可読媒体であって、前記コードは、
サブフレームの特定のシンボルに関して、第１のアップリンク送信および第２のアップリンク送信が、前記シンボル中の送信のためにスケジューリングされることを決定することと、ここにおいて、前記第１のアップリンク送信は、第１の持続時間を有する第１の伝送時間間隔（ＴＴＩ）と第１の送信電力とに関連付けられ、前記第２のアップリンク送信は、第２の持続時間を有する第２のＴＴＩと第２の送信電力とに関連付けられ、前記第１の持続時間は、前記第２の持続時間とは異なり、
前記第１のアップリンク送信および前記第２のアップリンク送信が前記サブフレームの前記特定のシンボル中の送信のためにスケジューリングされることを前記決定することに基づいて、前記第１の送信電力または前記第２の送信電力の一方または両方に関して電力制限条件が満たされていると決定することと、
前記電力制限条件が満たされていると前記決定することに基づいて、前記第１の送信電力または前記第２の送信電力の一方または両方を調整することと、
前記第１の送信電力または前記第２の送信電力の一方または両方を前記調整することに基づいて、前記特定のシンボル中に前記第１のアップリンク送信または前記第２のアップリンク送信のうちの少なくとも１つを送信することと
を行うように実行可能な命令を備える、非一時的なコンピュータ可読媒体。
【請求項１７】
送信電力制御を行うための装置であって、
プロセッサと、
前記プロセッサと電子通信しているメモリと、
前記メモリに記憶された命令と
を備え、前記命令は、
サブフレームの特定のシンボルに関して、第１のアップリンク送信および第２のアップリンク送信が、前記シンボル中の送信のためにスケジューリングされることを決定することと、ここにおいて、前記第１のアップリンク送信は、第１の持続時間を有する第１の伝送時間間隔（ＴＴＩ）と第１の送信電力とに関連付けられ、前記第２のアップリンク送信は、第２の持続時間を有する第２のＴＴＩと第２の送信電力とに関連付けられ、前記第１の持続時間は、前記第２の持続時間とは異なり、
前記第１のアップリンク送信および前記第２のアップリンク送信が前記サブフレームの前記特定のシンボル中の送信のためにスケジューリングされることを前記決定することに基づいて、前記第１の送信電力または前記第２の送信電力の一方または両方に関して電力制限条件が満たされていると決定することと、
前記電力制限条件が満たされていると前記決定することに基づいて、前記第１の送信電力または前記第２の送信電力の一方または両方を調整することと、
前記第１の送信電力または前記第２の送信電力の一方または両方を前記調整することに基づいて、前記特定のシンボル中に前記第１のアップリンク送信または前記第２のアップリンク送信のうちの少なくとも１つを送信することと
を行うように前記プロセッサによって実行可能である、装置。
【請求項１８】
前記命令は、前記第１のＴＴＩに関する第１の最大電力および前記第２のＴＴＩに関する第２の最大電力の構成を受信するように前記プロセッサによってさらに実行可能である、請求項１７に記載の装置。
【請求項１９】
前記第１のＴＴＩに関する前記電力制限条件は、前記命令にしたがって、前記第１の送信電力と前記第１の最大電力の比較に基づいて決定され、前記第１の送信電力は、前記電力制限条件が満たされているときに前記第１の最大電力に基づいて調整される、請求項１８に記載の装置。
【請求項２０】
前記第２のＴＴＩに関する前記電力制限条件は、前記命令にしたがって、前記第２の送信電力と前記第２の最大電力の比較に基づいて決定され、前記第２の送信電力は、前記命令にしたがって、前記電力制限条件が満たされているときに前記第２の最大電力に基づいて調整される、請求項１８に記載の装置。
【請求項２１】
前記電力制限条件は、前記第１の送信電力と前記第２の送信電力の合計の、前記特定のシンボルの総送信電力との比較に基づいている、請求項１７に記載の装置。
【請求項２２】
前記命令は、
電力制御モードを示す構成を受信することと、
前記電力制御モードにさらに基づいて送信電力調整を行うことと
を行うように前記プロセッサによってさらに実行可能である、請求項１７に記載の装置。
【請求項２３】
前記第１の送信電力または前記第２の送信電力の一方または両方を調整するように前記プロセッサによって実行可能な前記命令は、前記第１の送信電力と前記第２の送信電力の合計が前記特定のシンボルの総送信電力を超えないように、前記第１の送信電力または前記第２の送信電力の一方または両方をスケーリングするように前記プロセッサによって実行可能な命令を備える、請求項１７に記載の装置。
【請求項２４】
前記プロセッサによって実行可能な前記命令は、前記第２の送信電力よりも前記第１の送信電力を優先するように前記プロセッサによって実行可能な命令をさらに備え、前記第１の送信電力または前記第２の送信電力の一方または両方を調整するように前記プロセッサによって実行可能な前記命令は、前記第２の送信電力を保証最小送信電力に調整するように前記プロセッサによって実行可能な命令を含む、請求項１７に記載の装置。
【請求項２５】
前記命令は、前記第１の送信電力または前記第２の送信電力の一方または両方を調整した後に、前記特定のシンボル中に前記第１のアップリンク送信および前記第２のアップリンク送信を送信するように前記プロセッサによって実行可能な命令をさらに備える、請求項１７に記載の装置。
【請求項２６】
前記第１のアップリンク送信は、超低レイテンシ（ＵＬＬ）アップリンク送信であり、前記第２のアップリンク送信は、レガシーアップリンク送信である、請求項１７に記載の装置。
【請求項２７】
前記第２の持続時間は１サブフレームに相当し、前記第１の持続時間は１より小さいサブフレームに相当する、請求項１７に記載の装置。
【請求項２８】
前記第１の送信電力または前記第２の送信電力の一方または両方を調整するように前記プロセッサによって実行可能な前記命令は、前記第１のアップリンク送信に関連付けられた変調方式に基づいて前記第１の送信電力または前記第２の送信電力の一方または両方を調整するように前記プロセッサによって実行可能な命令を備える、請求項１７に記載の装置。
【請求項２９】
前記第１の送信電力または前記第２の送信電力の一方または両方を調整するように前記プロセッサによって実行可能な前記命令は、前記第２のアップリンク送信に関連付けられた変調方式に基づいて前記第１の送信電力または前記第２の送信電力の一方または両方を調整するように前記プロセッサによって実行可能な命令を備える、請求項１７に記載の装置。
【請求項３０】
前記第１のアップリンク送信および前記第２のアップリンク送信が送信のためにスケジューリングされることを前記決定することは、前記サブフレームにおける各シンボルに関して、前記第１のアップリンク送信および前記第２のアップリンク送信が送信のためにスケジューリングされることを決定することを備える、請求項１に記載の方法。
【発明の詳細な説明】
【関連出願の相互参照】
【０００１】
[0001]  本特許出願は、２０１５年１月１２日出願の「UPLINK POWER CONTROL FOR ULTRA LOW LATENCY IN LTE」と題する米国仮出願第６２／１０２，４５８号、および２０１５年１２月１４日出願の「UPLINK POWER CONTROL TECHNIQUES FOR ULTRA LOW LATENCY IN LTE DEVICES」と題する米国特許出願第１４／９６８，６９２号の優先権を主張し、これらは、その全体が本明細書に参照によって明確に組み込まれている。
【背景技術】
【０００２】
[0002]  本開示は、概して、通信システムに関し、より具体的には、ロングタームエボリューション（ＬＴＥ（登録商標））デバイスにおける超低レイテンシ（ultra low latency）のためのアップリンク電力制御技法に関する。
【０００３】
[0003]  ワイヤレス通信システムは、電話通信、映像、データ、メッセージング、およびブロードキャストといった、様々な電気通信サービスを提供するために幅広く展開されている。典型的なワイヤレス通信システムは、利用可能なシステムリソース（例えば、帯域幅、送信電力）を共有することによって、複数のユーザとの通信をサポートすることが可能な多元接続技術を採用し得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  これらの多元接続技術は、異なるワイヤレスデバイスが、地方、国、地域、さらには世界レベルで通信することを可能にする、共通のプロトコルを提供するために、様々な電気通信規格において採り入れられている。新生の電気通信規格の１つの例はＬＴＥである。ＬＴＥは、第３世代パートナーシッププロジェクト（３ＧＰＰ（登録商標））によって広められたユニバーサルモバイル電気通信システム（ＵＭＴＳ）のモバイル規格に対する改良のセットである。それは、スペクトル効率を向上させることによってモバイルブロードバンドインターネットアクセスをより良くサポートし、コストを下げ、サービスを向上させ、新たなスペクトルを活用し、ダウンリンク（ＤＬ）上ではＯＦＤＭＡを、アップリンク（ＵＬ）上ではＳＣ−ＦＤＭＡを、そして多入力多出力（ＭＩＭＯ）アンテナ技術を使用して他のオープン規格とより良好に一体化するように設計されている。しかしながら、モバイルブロードバンドアクセスに対する需要が高まり続けているので、ＬＴＥ技術におけるさらなる改善の必要性が存在する。好ましくは、これらの改善が、他の多元接続技術およびこれらの技術を採用する電気通信規格に適用可能であるべきである。
【０００５】
[0005]  レガシーＬＴＥを採用するワイヤレス通信システムにおいて、特定のｅノードＢによってサービス提供される複数のＵＥは、レガシーＬＴＥサブフレームの持続時間に対応する、１ミリ秒オーダーの伝送時間間隔（ＴＴＩ）を使用して１つまたは複数のチャネルを介してそのｅノードＢと通信するためのスケジューリングされたリソースであり得る。ＵＥの能力および帯域幅に対する需要が高まるにつれて、通信におけるより低いレイテンシが望まれる場合もある。
【発明の概要】
【０００６】
[0006]  以下は、１つまたは複数の態様の基本的な理解を提供するために、そのような態様の簡略化された概要を示す。この概要は、企図されるすべての態様の広範な概観ではなく、また、すべての態様の主要または重要な要素を特定することも、任意またはすべての態様の範囲を定めることも意図されていない。その唯一の目的は、後に提示されるより詳細な説明への前置きとして、簡略化された形式で１つまたは複数の態様のいくつかの概念を提示することである。
【０００７】
[0007]  本開示は、ＬＴＥ通信における超低レイテンシ（ＵＬＬ：ultra low latency）のためのアップリンク電力制御のための技法を説明する。例えば、本開示は、第１のアップリンク送信および第２のアップリンク送信がサブフレームのシンボル中の送信のためにスケジューリングされることを決定することを含む、送信電力制御の例となる方法を提示する。例となる方法によると、前記第１のアップリンク送信は、第１のＴＴＩと第１の送信電力とを有し得、前記第２のアップリンク送信は、前記第１のＴＴＩとは異なる第２のＴＴＩと第２の送信電力とを有し得る。加えて、例となる方法は、前記第１の送信電力または前記第２の送信電力の一方または両方に関して電力制限条件（power limitation condition）が満たされていることを決定することを含み得る。さらに、例となる方法は、前記電力制限条件が満たされているという決定に基づいて、前記第１の送信電力または前記第２の送信電力の一方または両方を調整することを含み得る。
【０００８】
[0008]  追加的に、本開示は、送信電力制御を行うための装置を説明し、例となる装置は、第１のアップリンク送信および第２のアップリンク送信がサブフレームのシンボル中の送信のためにスケジューリングされることを決定するための手段を含む。ある態様において、前記第１のアップリンク送信は、第１のＴＴＩと第１の送信電力とを有し得、前記第２のアップリンク送信は、前記第１のＴＴＩとは異なる第２のＴＴＩと第２の送信電力とを有し得る。さらに、例となる装置は、前記第１の送信電力または前記第２の送信電力の一方または両方に関して電力制限条件が満たされていることを決定するための手段を含み得る。さらに、例となる装置は、前記電力制限条件が満たされているという決定に基づいて、前記第１の送信電力または前記第２の送信電力の一方または両方を調整するための手段を含み得る。
【０００９】
[0009]  本明細書にさらに開示されるものは、送信電力制御のためのコンピュータ実行可能コードを記憶する非一時的コンピュータ可読媒体であり、前記コードは、第１のアップリンク送信および第２のアップリンク送信がサブフレームのシンボル中の送信のためにスケジューリングされることを決定するように実行可能な命令を含む。例となるコンピュータ可読媒体のある態様において、前記第１のアップリンク送信は、第１のＴＴＩと第１の送信電力とを有し、前記第２のアップリンク送信は、前記第１のＴＴＩとは異なる第２のＴＴＩと第２の送信電力とを有する。加えて、前記命令は、前記第１の送信電力または前記第２の送信電力の一方または両方に関して電力制限条件が満たされていることを決定するように実行可能な命令と、前記電力制限条件が満たされているという決定に基づいて、前記第１の送信電力または前記第２の送信電力の一方または両方を調整するように実行可能な命令とを含み得る。
【００１０】
[0010]  追加の態様において、本明細書で開示されるものでは、送信電力制御を行うための例となる装置であり、これは、プロセッサと、前記プロセッサと電子通信しているメモリと、前記メモリに記憶された命令と、を含む。いくつかの例において、これらの命令は、第１のアップリンク送信および第２のアップリンク送信がサブフレームのシンボル中の送信のためにスケジューリングされることを決定するように前記プロセッサによって実行可能であり、前記第１のアップリンク送信は、第１のＴＴＩと第１の送信電力とを有し、前記第２のアップリンク送信は、前記第１のＴＴＩとは異なる第２のＴＴＩと第２の送信電力とを有する。追加的に、前記命令は、前記第１の送信電力または前記第２の送信電力の一方または両方に関して電力制限条件が満たされていることを決定するように前記プロセッサによって実行可能な命令をさらに含む。さらに、前記命令は、前記電力制限条件が満たされているという決定に基づいて、前記第１の送信電力または前記第２の送信電力の一方または両方を調整するように前記プロセッサによって実行可能な命令を含み得る。
【００１１】
[0011]  前述のことは、以下に続く詳細な説明がより良く理解されることができるように、本開示による複数例の特徴および技術的利点を、やや幅広く概説している。追加の特徴および利点が以下に説明されることになる。開示される概念および具体的な例は、本開示と同じ目的を実行するために、他の構造を修正または設計するための基礎として容易に利用され得る。このような同等な構成体（construction）は、添付の特許請求の範囲から逸脱しない。本明細書に開示される概念の特性は、関連する利点とともに、それらの構成および動作の方法の両方に関して、添付の図に関連して検討されたとき、以下の説明からより一層理解されるであろう。これらの図の各々は、例示および説明の目的のためだけに提供され、特許請求の範囲の限定の定義として提供されるものではない。
【図面の簡単な説明】
【００１２】
【図１】[0012]  本開示のある態様に係る電気通信システムの例を概念的に例示するブロック図を示す図。
【図２】[0013]  アクセスネットワークの例を例示する図。
【図３】[0014]  レガシーＬＴＥにおけるＤＬフレーム構造の例を例示する図。
【図４】[0015]  レガシーＬＴＥにおけるＵＬフレーム構造の例を例示する図。
【図５】[0016]  ユーザおよび制御プレーンに関する無線プロトコルアーキテクチャの例を例示する図。
【図６】[0017]  アクセスネットワークにおける発展型ノードＢおよびユーザ機器の例を例示する図。
【図７】[0018]  本開示による、衝突しているアップリンク送信許可を持つ例となるサブフレームを例示する図。
【図８】[0019]  本開示の態様をインプリメントするように構成された送信制御コンポーネントを例示する図。
【図９】[0020]  本開示による送信電力制御の方法のフローチャート。
【図１０】[0021]  実例的な装置における異なるモジュール／手段／コンポーネント間のデータフローを例示する概念的なデータフロー図。
【図１１】[0022]  処理システムを採用する装置のためのハードウェアインプリメンテーションの例を例示する図。
【詳細な説明】
【００１３】
[0023]  添付の図面に関連して以下に述べられる詳細な説明は、様々な構成の説明として意図されたものであり、本明細書に説明される概念が実現され得る構成のみを表すように意図されたものではない。詳細な説明は、様々な概念の完全な理解を提供する目的で、特定の詳細を含む。しかしながら、これらの概念がこれらの特定の詳細なしに実現され得ることは当業者には明らかになるであろう。いくつかの事例において、周知の構造およびコンポーネントが、そのような概念を曖昧にすることを避けるためにブロック図の形態で示される。
【００１４】
[0024]  電気通信システムのいくつかの態様が、ここで、様々な装置および方法を参照して提示されることになる。これらの装置および方法は、以下の詳細な説明において説明され、添付の図面において、様々なブロック、モジュール、コンポーネント、回路、ステップ、プロセス、アルゴリズム、等（総称して、「要素」と呼ばれる）によって例示されることになる。これらの要素は、電子ハードウェア、コンピュータソフトウェア、またはこれらの任意の組合せを使用してインプリメントされ得る。そのような要素がハードウェアとしてインプリメントされるかソフトウェアとしてインプリメントされるかは、システム全体に課された設計の制約および特定の用途に依存する。
【００１５】
[0025]  例として、要素、または要素の任意の部分、または要素の任意の組合せは、１つまたは複数のプロセッサを含む「処理システム」を用いてインプリメントされ得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理回路、ディスクリートハードウェア回路、および、本開示全体を通して説明される様々な機能を行うように構成された他の好適なハードウェアを含む。処理システム内の１つまたは複数のプロセッサは、ソフトウェアを実行し得る。ソフトウェアは、ソフトウェア、ファームウェア、ミドルウェア、マイクロコード、ハードウェア記述言語、または別の名称で称されるかどうかにかかわらず、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するように幅広く解釈されるものとする。
【００１６】
[0026]  したがって、１つまたは複数の態様において、説明される機能は、ハードウェア、ソフトウェア、ファームウェア、またはこれらの任意の組合せでインプリメントされ得る。ソフトウェアにおいてインプリメントされる場合、これら機能は、コンピュータ可読媒体上に、１つまたは複数の命令またはコードとして記憶もしくは符号化され得る。コンピュータ可読媒体は、コンピュータ記憶媒体を含む。記憶媒体は、コンピュータによってアクセスされることができる任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、もしくは、命令またはデータ構造の形態で所望のプログラムコードを記憶または搬送するために使用されることができ、そしてコンピュータによってアクセスされることができる、他の任意の媒体を含むことができる。ディスク（disk）およびディスク（disc）は、本明細書で使用されるとき、コンパクトディスク（ＣＤ）、レーザーディスク（登録商標）、光ディスク、デジタル多用途ディスク（ＤＶＤ）、およびフロッピー（登録商標）ディスクを含み、ここで、ディスク（disk）は通常、データを磁気的に再生するが、ディスク（disc）は、レーザを用いて光学的にデータを再生する。上記の組合せもまた、コンピュータ可読媒体の範囲内に含まれるべきである。
【００１７】
[0027]  本開示は、各々がデータおよび制御情報の通信のための一意の関連するＴＴＩを有する通信技術をインプリメントするワイヤレス通信環境におけるワイヤレス信号の送信を管理するための例となる方法および装置を提示する。例えば、いくつかの例において、このような通信技術は、１ｍｓオーダーのＴＴＩを利用し得る。本開示の目的では、このような通信技術は、「レガシー」通信技術（例えば、ＬＴＥ、レガシーＬＴＥ、レガシー技法、レガシープロトコル）と称され得る。追加的に、複数の通信技術は、１シンボルオーダーの、または７０〜９０マイクロ秒オーダーのＴＴＩを使用する通信技術を含み得る。本開示の目的では、このような通信技術は、超低レイテンシ、すなわちＵＬＬ通信技術（例えば、ＵＬＬ ＬＴＥ、ＵＬＬ、ＵＬＬプロトコル）と称され得る。さらに、本開示で説明されるいくつかの例となる技法が、１シンボルのＴＴＩを利用することによってＵＬＬをインプリメントすることができるが、これは、ＵＬＬ通信に関連する唯一のＴＴＩ長ではない。代わりに、本開示によって企図されるいくつかの事例において、２シンボル、３シンボル、またはフルスロットのＵＬＬ ＴＴＩ長がインプリメントされ得る。
【００１８】
[0028]  本開示のある態様において、ＵＥによるデータまたは制御情報の生成および／または送信に関連する詳細、例えば、送信のために使用される送信電力は、その送信を搬送することになる通信またはチャネルが、レガシー通信技術を利用するかＵＬＬ通信技術を利用するかどうかに依存して変わり得る。このような詳細は、さらに、ＵＬＬ送信とレガシー送信の両方が同時送信のために（すなわち、少なくとも部分的に重複しているスケジューリングされた時間期間中に）スケジューリングされるかどうかに依存し得る。例えば、ＵＬＬデータおよびレガシーデータの両方がサブフレームの特定のシンボル中の送信のためにスケジューリングされる場合、ＵＥは、同時送信に必要とされる総送信電力（total transmission power）がそのＵＥに関連付けられた送信電力限度（transmission power limit）を超えるとそれが決定した場合に、ＵＬＬおよび／またはレガシー送信に関連付けられた送信電力を変更し得る。本開示によると、総送信電力がこの送信電力限度を超えることが決定された場合、電力制限条件が存在すると考えられている。言い換えると、スケジューリングされたＵＬＬおよびレガシー送信が、時間的に、部分的にでも重複する（すなわち「衝突する」）場合、ＵＥは、ＵＬＬおよびレガシー送信に関連付けられた送信電力の合計を比較し得、この送信電力の合計がＵＥの送信電力限度を超える場合、電力制限条件が存在すると決定し得る。ある態様において、このような電力制限条件が存在する場合、ＵＥは、送信電力限度を超えないように、少なくともそれにわたって送信が重複する期間の間、ＵＬＬ送信およびレガシー送信の一方または両方の送信電力を変更し得る。
【００１９】
[0029]  いくつかの例において、ＵＥは、ＵＬＬおよびレガシー送信が衝突する場合、レガシー送信よりもＵＬＬ送信を優先することによって、ＵＬＬおよび／またはレガシー送信の送信電力を変更し得る。言い換えると、残りの電力（すなわち、ＵＬＬ送信電力が割り振られた後の残りの電力）がレガシー送信のための保証最小電力（guaranteed minimum power）を満たす限りＵＬＬ送信が変更されないように、送信電力限度に相当する利用可能な量の送信電力が割り振られることができる。ある態様において、レガシー送信のための保証最小電力は、ＵＥにハードコーディングされ得るか、またはネットワークによって構成され得、１つまたは複数のレガシーチャネルパラメータ（例えば、物理アップリンク共有チャネル（ＰＵＳＣＨ）パラメータ）に基づき得る。
【００２０】
[0030]  代替的または追加的な例において、ＵＥは、ＵＬＬ送信電力およびレガシー送信電力を、ＵＬＬ保証最小送信電力およびレガシー最小送信電力にそれぞれスケーリングし得る。ある態様において、ＵＥは、ＵＬＬ保証最小送信電力とレガシー保証最小送信電力の合計が、その間送信が衝突する１つまたは複数のシンボルに関するＵＥのための送信電力限度を超えないように、これらの送信電力をスケーリングし得る。ある態様において、ＵＬＬ保証最小送信電力およびレガシー保証最小送信電力は、送信電力限度が時間とともに変化し得るので周期的に再構成され得る。
【００２１】
[0031]  加えて、レガシー送信では、送信電力スケーリングがシンボルごとのベースで生じる場合、トラフィック対パイロット比（ＴＰＲ：traffic-to-pilot ratio）は、もはやサブフレーム内で一定のままにはならない。レガシーＬＴＥシステムのためのサブフレーム内のこの可変ＴＰＲは、ネットワークエンティティ（例えば、ｅノードＢ）における復号の複雑性の増加といった、さらなる通信の複雑性を招く恐れがある。四相位相変調（ＱＰＳＫ）を使用するチャネルは、送信電力のスケーリングに起因する可変ＴＰＲによる著しいパフォーマンス低下に遭わないこともあるが、他の変調次数（modulation orders）を使用するチャネルは、ＴＰＲがサブフレームの中で変わるときに顕著なパフォーマンス低下に遭う場合もある。このように、本開示の態様によると、限定された数の可能なＴＰＲ値が、仮説検出（hypotheses detection）のために利用され得る。例えば、０ｄＢのＴＰＲ、保証ＴＰＲ、および−∞ｄＢのＴＰＲ（すなわち、そのシンボルに関して送信がドロップされることを示す）が維持され得る。ある代替的な態様において、ＵＥは、例えば、サブフレームの終わりに、または次のサブフレームにおいて、ネットワークエンティティにＴＰＲをシグナリングするように構成され得る。さらに、いくつかの事例において、ＵＥによるＴＰＲのシグナリングは、サブフレームごとのベースではなくむしろ、スロットごとのベースで行われ得る。
【００２２】
[0032]  加えて、本開示は、例えば、サブフレームの単一シンボルにおける、ＵＬＬ送信およびレガシー送信の両方のための確認応答メッセージ（ＡＣＫ）と否定確認応答メッセージ（ＮＡＣＫ：not-acknowledged）との並列送信のための方法を提示する。例えば、本開示のある態様において、レガシー制御チャネル（例えば、物理アップリンク制御チャネル（ＰＵＣＣＨ））は、レガシー制御のためにＡＣＫ／ＮＡＣＫメッセージを搬送し得る。ＰＵＣＣＨは、コンポーネントキャリア（ＣＣ）に関するＡＣＫ／ＮＡＣＫフィードバックを、またはデュアルキャリアのシナリオでは同じグループ下のＡＣＫ／ＮＡＣＫフィードバックを搬送し得る。追加的に、別個のアップリンク制御チャネルは、これは、本明細書ではＵＬＬ ＰＵＣＣＨまたは「ｕＰＵＣＣＨ」と称され得るが、ネットワークエンティティにＡＣＫ／ＮＡＣＫメッセージを送信するためにＵＥによって利用され得る（または、その逆も同様である）。ｕＰＵＣＣＨは、キャリアアグリゲーションのシナリオではＵＬＬ ＣＣに関するＡＣＫ／ＮＡＣＫフィードバックを、デュアルキャリアのシナリオでは同じグループ下のフィードバックを搬送し得る。言い換えると、ＡＣＫおよびＮＡＣＫメッセージは、通信がレガシーＬＴＥを利用するかＵＬＬ ＬＴＥを利用するかどうかに依存してＰＵＣＣＨおよびｕＰＵＣＣＨの両方を並列に使用して、ＵＥとネットワークエンティティとの間で通信され得る。
【００２３】
[0033]  本開示のさらなる態様において、ＵＬＬ動作のために構成されたＵＥは、また、レガシースケジューリング要求（ＳＲ：scheduling request）動作もサポートする。例えばある態様において、ＵＥは、アップリンクＵＬＬトラフィックの必要性を示し得るレガシーＳＲを構成し得る。例えば、ＵＥは、一意のＳＲ構成を利用し得るか、またはレガシーＬＴＥトラフィックの必要性を示すために第１のセットのＳＲサブフレームを、およびＵＬＬトラフィックの必要性を示すために第２のセットのＳＲサブフレームを利用し得る。代替的または追加的に、ＵＥは、ネットワークエンティティに送られるバッファ状態レポート（ＢＳＲ：Buffer Status Report）においてＵＬＬトラフィックの必要性を示すように構成され得る。代替的または追加的に、ＵＥは、ネットワークエンティティにＵＬ ＵＬＬの必要性を示すために単一シンボルベースでの送信を利用し得る。例えば、ＵＬ ＵＬＬ送信の必要性がある場合、ＵＥは、コンテンションベースでのｕＰＵＳＣＨ送信を開始し得る。
【００２４】
[0034]  追加的に、ある態様において、ＵＥは、専用ＵＬＬ ＳＲチャネルを介してネットワークエンティティと通信し得、これは、本開示の目的では「ｕＳＲ」と称され得る。専用ｕＳＲのケースにおいて、ＵＥは、専用ＳＲリソース（例えば、無線ベアラ内の特定のサイクリックシフト）を割り当てられ得、これは、周期的に再割り当てされ得る。共有ｕＳＲのケースにおいて、２つ以上のＵＥは、共有ＳＲリソースを割り当てられ得、ＵＥを区別することはネットワークエンティティ（例えば、ｅＮＢ）に委ねられ得る。
【００２５】
[0035]  図１は、本開示のある態様に係る、例となるワイヤレス通信システム１００を示す。ワイヤレス通信システム１００は、複数のアクセスポイント（例えば、基地局、ｅＮＢ、またはＷＬＡＮアクセスポイント）１０５、多くのユーザ機器（ＵＥ）１１５、およびコアネットワーク１３０を含む。ある態様において、ＵＥ１１５のうちの１つまたは複数は、本開示で説明されているレガシーおよび／またはＵＬＬプロセスにしたがって、データおよび／または制御情報を生成し、それをアップリンクチャネル上でネットワークエンティティ（例えば、アクセスポイント１０５）に送信するように構成された送信制御コンポーネント６６１を含み得る。
【００２６】
[0036]  アクセスポイント１０５のいくつかは、基地局コントローラ（図示せず）の制御下でＵＥ１１５と通信し得、それは、様々な例においてコアネットワーク１３０の一部またはある特定のアクセスポイント１０５（例えば、基地局またはｅＮＢ）であり得る。アクセスポイント１０５は、バックホールリンク１３２を通してコアネットワーク１３０と制御情報および／またはユーザデータを通信し得る。複数例において、アクセスポイント１０５は、バックホールリンク１３４を介して互いに、直接的または間接的のいずれかで通信し得、それは、有線またはワイヤレス通信リンクであり得る。ワイヤレス通信システム１００は、複数のキャリア（異なる周波数の波形信号）上での動作をサポートし得る。マルチキャリア送信機は、変調された信号を複数のキャリア上で同時に送信することができる。例えば、各通信リンク１２５は、上述された様々な無線技術にしたがって変調されたマルチキャリア信号であり得る。各々の変調された信号は、異なるキャリア上で送られ得、制御情報（例えば、基準信号、制御チャネル、等）、オーバヘッド情報、データ、等を搬送し得る。
【００２７】
[0037]  いくつかの例において、ワイヤレス通信システム１００の少なくとも一部分は、複数の階層レイヤ上で動作するように構成され得、それにおいて、ＵＥ１１５のうちの１つまたは複数とアクセスポイント１０５のうちの１つまたは複数とが１つの階層レイヤ上での送信をサポートするように構成され得、その階層レイヤは、別の階層レイヤに対して低減されたレイテンシを有する。いくつかの例において、ハイブリッドＵＥ１１５−ａは、第１のサブフレームタイプを持つ第１のレイヤ送信をサポートする第１の階層レイヤと、第２のサブフレームタイプを持つ第２のレイヤ送信をサポートする第２の階層レイヤとの両方でアクセスポイント１０５−ａと通信し得る。例えば、アクセスポイント１０５−ａは、第１のサブフレームタイプのサブフレームで時分割複信化された第２のサブフレームタイプのサブフレームを送信し得る。
【００２８】
[0038]  いくつかの例において、ハイブリッドＵＥ１１５−ａは、例えば、ＨＡＲＱ方式を通した送信のためのＡＣＫ／ＮＡＣＫを提供することによって、送信の受信を確認応答し得る。第１の階層レイヤにおける送信のためのハイブリッドＵＥ１１５−ａからの確認応答は、いくつかの例において、送信が受信されたサブフレームに続く所定数のサブフレームの後で提供され得る。ハイブリッドＵＥ１１５−ａは、第２の階層レイヤにおいて動作するとき、複数例において、送信が受信されたサブフレームと同じサブフレームにおける受信を確認応答し得る。ＡＣＫ／ＮＡＣＫを送信し、再送信を受信するために必要とされる時間は、ラウンドトリップ時間（ＲＴＴ）と称され得、よって、第２のサブフレームタイプのサブフレームは、第１のサブフレームタイプのサブフレームのためのＲＴＴよりも短い第２のＲＴＴを有し得る。
【００２９】
[0039]  他の例において、第２のレイヤＵＥ１１５−ｂは、第２の階層レイヤ上でのみアクセスポイント１０５−ｂと通信し得る。よって、ハイブリッドＵＥ１１５−ａおよび第２のレイヤＵＥ１１５−ｂは、第２の階層レイヤ上で通信することができる第２のクラスのＵＥ１１５に属し得るが、レガシーＵＥ１１５は、第１の階層レイヤ上でのみ通信することができる第１のクラスのＵＥ１１５に属し得る。アクセスポイント１０５−ｂおよびＵＥ１１５−ｂは、第２のサブフレームタイプのサブフレームの送信を通して第２の階層レイヤ上で通信し得る。アクセスポイント１０５−ｂは、第２のサブフレームタイプのサブフレームのみを送信し得るか、または、第２のサブフレームタイプのサブフレームで時分割多重化された第１の階層レイヤ上で第１のサブフレームタイプの１つまたは複数のサブフレームを送信し得る。第２のレイヤＵＥ１１５−ｂは、アクセスポイント１０５−ｂが第１のサブフレームタイプのサブフレームを送信する事象において、第１のサブフレームタイプのそのようなサブフレームを無視し得る。よって、第２のレイヤＵＥ１１５−ｂは、送信が受信されるサブフレームと同じサブフレームにおける送信の受信を確認応答し得る。よって、第２のレイヤＵＥ１１５−ｂは、第１の階層レイヤ上で動作するＵＥ１１５と比較して、低減されたレイテンシで動作し得る。
【００３０】
[0040]  アクセスポイント１０５は、１つまたは複数のアクセスポイントアンテナを介してＵＥ１１５とワイヤレスで通信し得る。アクセスポイント１０５のサイトの各々は、それぞれのカバレッジエリア１１０のための通信カバレッジを提供し得る。いくつかの例において、アクセスポイント１０５は、トランシーバ基地局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または他の何らかの好適な用語で称され得る。基地局のためのカバレッジエリア１１０は、カバレッジエリアの一部分のみを構成するセクタに分割され得る（図示せず）。ワイヤレス通信システム１００は、異なるタイプのアクセスポイント１０５（例えば、マクロ、マイクロ、および／またはピコ基地局）を含み得る。アクセスポイント１０５は、また、セルラおよび／またはＷＬＡＮ無線アクセス技術のような、異なる無線技術も利用し得る。アクセスポイント１０５は、同じまたは異なるアクセスネットワークもしくはオペレータ配備に関連付けられ得る。同じまたは異なるタイプのアクセスポイント１０５のカバレッジエリアを含み、同じまたは異なる無線技術を利用し、および／もしくは、同じまたは異なるアクセスネットワークに属する、異なるアクセスポイント１０５のカバレッジエリアは重複し得る。
【００３１】
[0041]  ＬＴＥ／ＬＴＥ−Ａネットワーク通信システムにおいて、発展型ノードＢ（ｅノードＢまたはｅＮＢ）という用語は、概して、アクセスポイント１０５を説明するために使用され得る。ワイヤレス通信システム１００は、異なるタイプのアクセスポイントが様々な地理的領域のためのカバレッジを提供する異機種ＬＴＥ／ＬＴＥ−Ａ／ＵＬＬ ＬＴＥネットワークであり得る。例えば、各アクセスポイント１０５は、マクロセル、ピコセル、フェムトセル、および／または他のタイプのセルのための通信カバレッジを提供し得る。ピコセル、フェムトセルのようなスモールセル、および／または他のタイプのセルは、低電力ノード、すなわちＬＰＮを含み得る。マクロセルは、一般に、比較的大きい地理的エリア（例えば、半径数キロメートル）をカバーし、ネットワークプロバイダにサービス加入しているＵＥ１１５による無制限アクセスを可能にし得る。スモールセルは、一般に、比較的より小さい地理的エリアをカバーすることになり、例えば、ネットワークプロバイダにサービス加入しているＵＥ１１５による無制限アクセスを可能にし得、無制限アクセスに加えて、スモールセル（例えば、限定加入者グループ（ＣＳＧ）にあるＵＥ、家庭でのユーザのためのＵＥ、および同様のもの）との関連を有するＵＥ１１５による制限付きアクセスも提供し得る。マクロセルのためのｅＮＢは、マクロｅＮＢと称され得る。スモールセルのためのｅＮＢは、スモールセルｅＮＢと称され得る。ｅＮＢは、１つまたは複数（例えば、２つ、３つ、４つ、および同様の）のセルをサポートし得る。
【００３２】
[0042]  コアネットワーク１３０は、バックホールリンク１３２（例えば、Ｓ１インターフェース、等）を介してｅＮＢまたは他のアクセスポイント１０５と通信し得る。アクセスポイント１０５は、また、例えば、バックホールリンク１３４（例えば、Ｘ２インターフェース、等）を介して、および／または（例えば、コアネットワーク１３０を通る）バックホールリンク１３２を介して、直接的または間接的に、互いに通信し得る。ワイヤレス通信システム１００は、同期または非同期動作をサポートし得る。同期動作の場合、アクセスポイント１０５は、同様のフレームタイミングを有し得、異なるアクセスポイント１０５からの送信が時間的にほぼ整列され（aligned）得る。非同期動作の場合、アクセスポイント１０５は、異なるフレームタイミングを有し得、異なるアクセスポイント１０５からの送信が時間的に整列されなくてもよい。さらに、第１の階層レイヤおよび第２の階層レイヤにおける送信は、アクセスポイント１０５の間で同期されても同期されなくてもよい。本明細書に説明されている技法は、同期または非同期動作のいずれかのために使用され得る。
【００３３】
[0043]  ＵＥ１１５は、ワイヤレス通信システム１００全体にわたって分散し得、各ＵＥ１１５は、固定またはモバイルであり得る。ＵＥ１１５は、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または他の何らかの好適な用語でも称され得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、腕時計または眼鏡のようなウェアラブルアイテム、ワイヤレスローカルループ（ＷＬＬ）局、または同様のものであり得る。ＵＥ１１５は、マクロｅノードＢ、スモールセルｅノードＢ、中継器、および同様のものと通信することができ得る。ＵＥ１１５は、また、セルラまたは他のＷＷＡＮアクセスネットワーク、もしくはＷＬＡＮアクセスネットワークのような、異なるアクセスネットワークを介して通信することもでき得る。
【００３４】
[0044]  ワイヤレス通信システム１００に示されている通信リンク１２５は、ＵＥ１１５からアクセスポイント１０５へのアップリンク（ＵＬ）送信および／またはアクセスポイント１０５からＵＥ１１５へのダウンリンク（ＤＬ）送信を含み得る。ダウンリンク送信は、順方向リンク送信とも呼ばれ得、一方でアップリンク送信は、逆方向リンク送信とも呼ばれ得る。通信リンク１２５は、各階層レイヤの送信を搬送し得、これは、いくつかの例において、通信リンク１２５において多重化され得る。ＵＥ１１５は、例えば、多入力多出力（ＭＩＭＯ）、キャリアアグリゲーション（ＣＡ）、多地点協調（ＣｏＭＰ）、または他の方式を通して、複数のアクセスポイント１０５と共同して通信するように構成され得る。ＭＩＭＯ技法は、複数のデータストリームを送信するために、アクセスポイント１０５上の複数のアンテナ、および／またはＵＥ１１５上の複数のアンテナを使用する。キャリアアグリゲーションは、データ送信のために同じまたは異なるサービングセル上の２つ以上のコンポーネントキャリアを利用し得る。ＣｏＭＰは、ネットワークおよびスペクトル利用を増加させること、ならびにＵＥ１１５のための全体的な送信品質を改善するための多くのアクセスポイント１０５による送信および受信の調整のための技法を含み得る。
【００３５】
[0045]  記述されたように、いくつかの例において、アクセスポイント１０５およびＵＥ１１５は、複数のキャリア上で送信するためにキャリアアグリゲーションを利用し得る。いくつかの例において、アクセスポイント１０５およびＵＥ１１５は、第１の階層レイヤにおいて同時に送信し得、１つのフレーム内では、１つまたは複数のサブフレームが２つ以上の別個のキャリアを使用する第１のサブフレームタイプを各々が有する。各キャリアは、例えば、２０ＭＨｚの帯域幅を有し得るが、他の帯域幅が利用され得る。ハイブリッドＵＥ１１５−ａ、および／または第２のレイヤＵＥ１１５−ｂは、ある特定の例において、別個のキャリアのうちの１つまたは複数の帯域幅よりも大きい帯域幅を有する単一キャリアを利用する第２の階層レイヤにおいて１つまたは複数のサブフレームを受信および／または送信し得る。例えば、４つの別個の２０ＭＨｚのキャリアが第１の階層レイヤにおいてキャリアアグリゲーション方式で使用される場合、単一の８０ＭＨｚのキャリアが第２の階層レイヤで使用され得る。８０ＭＨｚのキャリアは、４つの２０ＭＨｚのキャリアのうちの１つまたは複数によって使用される無線周波数スペクトルと少なくとも部分的に重複する無線周波数スペクトルの一部分を占有し得る。いくつかの例において、第２の階層レイヤタイプのためのスケーラブルな帯域幅は、さらに改良されたデータレートを提供するために、上述されたような、より短いＲＴＴを提供するための組み合わされた技法であり得る。
【００３６】
[0046]  ワイヤレス通信システム１００によって採用され得る異なる動作モードの各々は、周波数分割複信（ＦＤＤ）または時分割複信（ＴＤＤ）にしたがって動作し得る。いくつかの例において、異なる階層レイヤは、異なるＴＤＤまたはＦＤＤモードにしたがって動作し得る。例えば、第１の階層レイヤはＦＤＤにしたがって動作し得るが、第２の階層レイヤはＴＤＤにしたがって動作し得る。いくつかの例において、ＯＦＤＭＡ通信信号は、階層レイヤごとのＬＴＥダウンリンク送信のための通信リンク１２５において使用され得るが、シングルキャリア周波数分割多元接続（ＳＣ−ＦＤＭＡ）通信信号は、各階層レイヤにおけるＬＴＥアップリンク送信のための通信リンク１２５において使用され得る。ワイヤレス通信システム１００のようなシステムにおける階層レイヤのインプリメンテーションに関するさらなる詳細と、ならびにそのようなシステムにおける通信に関わる他の特徴および機能とが、後に続く図面を参照して以下に提供される。
【００３７】
[0047]  図２は、ＬＴＥ（および／またはＵＬＬ ＬＴＥ）ネットワークアーキテクチャにおけるアクセスネットワーク２００の例を例示する図である。この例において、アクセスネットワーク２００は、多くのセルラ領域（セル）２０２に分割されている。１つまたは複数のより低い電力クラスのｅＮＢ２０８は、セル２０２のうちの１つまたは複数と重複するセルラ領域２１０を有し得る。より低い電力クラスのｅＮＢ２０８は、フェムトセル（例えば、ホームｅＮＢ（ＨｅＮＢ））、ピコセル、マイクロセル、または遠隔無線ヘッド（ＲＲＨ）であり得る。マクロｅＮＢ２０４は、各々、それぞれのセル２０２に割り当てられ、セル２０２内のすべてのＵＥ２０６に対して発展型パケットコアへのアクセスポイントを提供するように構成される。ある態様において、マクロｅＮＢ２０４またはより低い電力クラスのｅＮＢ２０８は、限定ではないが、図１のアクセスポイント１０５のような、本開示におけるアクセスポイントまたはネットワークエンティティを構成し得、同様に、ＵＥ２０６のうちの１つまたは複数は、本開示で説明されているレガシーおよび／またはＵＬＬプロセスにしたがってデータおよび／または制御情報を生成し、それをネットワークエンティティ（例えば、図１のアクセスポイント１０５または図２のｅＮＢ２０８）に送信するように構成された送信制御コンポーネント６６１を含み得る。このアクセスネットワーク２００の例では集中型コントローラは存在していないが、代替の構成では、集中型コントローラが使用され得る。ｅＮＢｓ２０４は、無線ベアラ制御、アドミッション制御、モビリティ制御、スケジューリング、セキュリティ、およびサービングゲートウェイ１１６への接続を含む、すべての無線関連機能を担う。
【００３８】
[0048]  アクセスネットワーク２００によって採用される変調および多元接続方式は、配備されている特定の電気通信規格に依存して変わり得る。ＬＴＥアプリケーションにおいて、周波数分割複信（ＦＤＤ）および時分割複信（ＴＤＤ）の両方をサポートするために、ＯＦＤＭがＤＬ上で使用され、ＳＣ−ＦＤＭＡがＵＬ上で使用される。当業者は、以下に続く詳細な説明から、本明細書に提示されている様々な概念が、ＬＴＥの適用と本明細書で定義されているＵＬＬ ＬＴＥの適用とによく適していることを容易に理解するであろう。しかしながら、これらの概念は、他の変調および多元接続技法を採用する他の電気通信規格に容易に拡張されることができる。例として、これらの概念は、エボリューションデータオプティマイズド（ＥＶ−ＤＯ）、またはウルトラモバイルブロードバンド（ＵＭＢ）に拡張され得る。ＥＶ−ＤＯおよびＵＭＢは、ＣＤＭＡ２０００規格ファミリの一部として、第３世代パートナーシッププロジェクト２（３ＧＰＰ２）によって広められたエアインターフェース規格であり、モバイル局にブロードバンドインターネットアクセスを提供するためにＣＤＭＡを採用する。これらの概念は、また、ワイドバンドＣＤＭＡ（Ｗ−ＣＤＭＡ（登録商標））、およびＴＤ−ＳＣＤＭＡのようなＣＤＭＡの他の変形物を採用するユニバーサル地上無線アクセス（ＵＴＲＡ）、ＴＤＭＡを採用するモバイル通信のためのグローバルシステム（ＧＳＭ（登録商標））、およびＯＦＤＭＡを採用するフラッシュＯＦＤＭ、ＩＥＥＥ８０２．２０、ＩＥＥＥ８０２．１６（ＷｉＭＡＸ）、ＩＥＥＥ８０２．１１（Ｗｉ−Ｆｉ）、および発展型ＵＴＲＡ（Ｅ−ＵＴＲＡ）に拡張され得る。ＵＴＲＡ、Ｅ−ＵＴＲＡ、ＵＭＴＳ、ＬＴＥ、およびＧＳＭは、３ＧＰＰの団体からの文書において説明されている。ＣＤＭＡ２０００およびＵＭＢは、３ＧＰＰ２の団体からの文書において説明されている。採用される実際のワイヤレス通信規格および多元接続技術は、システムに課せられる全体的な設計制約および特定の用途に依存することになる。
【００３９】
[0049]  ｅＮＢ２０４は、ＭＩＭＯ技術をサポートする複数のアンテナを有し得る。ＭＩＭＯ技術の使用は、ｅＮＢ２０４が、空間多重化、ビームフォーミング、および送信ダイバーシティをサポートするために空間ドメインを活用することを可能にする。空間多重化は、同じ周波数上で同時にデータの異なるストリームを送信するために使用され得る。データストリームは、データレートを増加させるために単一のＵＥ２０６に送信され得るか、または全体的なシステム容量を増加させるために複数のＵＥ２０６に送信され得る。これは、各データストリームを空間的にプリコーディングし（すなわち、振幅および位相のスケーリングを適用し）、次いで、ＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到達し、それは、（１つまたは複数の）ＵＥ２０６の各々が、そのＵＥ２０６に向けた１つまたは複数のデータストリームを復元することを可能にする。ＵＬ上において、各ＵＥ２０６は、空間的にプリコーディングされたデータストリームを送信し、それは、ｅＮＢ２０４が、空間的にプリコーディングされた各データストリームのソースを識別することを可能にする。
【００４０】
[0050]  空間多重化は、一般に、チャネル条件が良好であるときに使用される。チャネル条件があまり好ましくないとき、１つまたは複数の方向に送信エネルギーを集中させるためにビームフォーミングが使用され得る。これは、複数のアンテナを通した送信のためにデータを空間的にプリコーディングすることによって達成され得る。セルの端で良好なカバレッジを達成するために、単一ストリームのビームフォーミング送信が、送信ダイバーシティと組み合わせて使用され得る。
【００４１】
[0051]  以下に続く詳細な説明において、アクセスネットワークの様々な態様が、ＤＬ上でＯＦＤＭをサポートするＭＩＭＯシステムを参照して説明されることになる。ＯＦＤＭは、ＯＦＤＭシンボル内の多くのサブキャリアにわたってデータを変調する拡散スペクトル技法である。サブキャリアは、正確な周波数で間隔が空けられている。間隔を空けることは、受信機が、サブキャリアからのデータを復元することを可能にする「直交性」を提供する。時間領域では、ＯＦＤＭシンボル間干渉に対抗するために、各ＯＦＤＭシンボルにガードインターバル（例えば、サイクリックプレフィックス）が追加され得る。ＵＬは、高いピーク対平均電力比（ＰＡＰＲ：peak-to-average power ratio）を補償するために、ＤＦＴ拡散ＯＦＤＭ信号の形態でＳＣ−ＦＤＭＡを使用し得る。
【００４２】
[0052]  図３は、レガシーＬＴＥにおけるＤＬフレーム構造の例を例示する図３００であり、これは、いくつかの例において、本開示によって提供されるＵＬＬ ＬＴＥの態様のためのダウンリンクフレーム構造と併せて利用され得る。１つのフレーム（１０ｍｓ）は、１０個の等しいサイズのサブフレーム（各々１ｍｓ）に分割され得る。各サブフレームは、２つの連続する時間スロットを含み得る。リソースグリッドが２つの時間スロットを表すために使用され得、各時間スロットは、リソース要素ブロックを含む。リソースグリッドは、複数のリソース要素に分割される。ＬＴＥにおいて、リソース要素ブロックは、周波数ドメインに１２個の連続するサブキャリアを含み、各ＯＦＤＭシンボルにおける通常のサイクリックプレフィックスでは、時間ドメインに７つの連続するＯＦＤＭシンボルを含み、すなわち、８４個のリソース要素を含み得る。拡張サイクリックプレフィックスの場合、リソース要素ブロックは、時間ドメインに６個の連続するＯＦＤＭシンボルを含み得、７２個のリソース要素を有する。Ｒ３０２、３０４として示されている、リソース要素のうちのいくつかは、ＤＬ基準信号（ＤＬ−ＲＳ）を含む。ＤＬ−ＲＳは、セル固有ＲＳ（ＣＲＳ）（共通ＲＳとも呼ばれるときもある）３０２とＵＥ固有ＲＳ（ＵＥ−ＲＳ）３０４とを含む。ＵＥ−ＲＳ３０４は、対応するＰＤＳＣＨがマッピングされるリソース要素ブロック上でのみ送信される。各リソース要素によって搬送されるビット数は、変調方式に依存する。よって、ＵＥが受信するリソース要素ブロックが多いほど、そして変調方式が高いほど、ＵＥのためのデータレートは高くなる。
【００４３】
[0053]  図４は、レガシーＬＴＥにおけるＵＬフレーム構造の例を例示する図４００であり、これは、本開示の態様にしたがって、限定ではないが、図１のＵＥ１１５、図２のＵＥ２０６、図６のＵＥ６５０、図１０の装置１００２のＵＥインプリメンテーション、および／または図１１の装置１００２’のＵＥインプリメンテーションといった、ＵＥによる１つまたは複数のレガシーＬＴＥアップリンク送信のためにインプリメントされ得る。例えば、以下でさらに詳細に説明されることになるように、第１のアップリンク送信７０８は、レガシーアップリンク送信であり得、それゆえ、図４００に説明されているＵＬフレーム構造に従い得る。ＵＬのための利用可能なリソース要素ブロックは、データセクションと制御セクションとに区分され得る。制御セクションは、システム帯域幅の両端に形成され得、構成可能なサイズを有し得る。制御セクション内のリソース要素ブロックは、制御情報の送信のためにＵＥに割り当てられ得る。データセクションは、制御セクションに含まれないすべてのリソース要素ブロックを含み得る。ＵＬフレーム構造は、連続したサブキャリアを含むデータセクションをもたらし、これは、単一のＵＥが、データセクション内の連続したサブキャリアのすべてを割り当てられることを可能にし得る。
【００４４】
[0054]  ＵＥは、ｅＮＢに制御情報を送信するために、制御セクションにおいてリソース要素ブロック４１０ａ、４１０ｂを割り当てられ得る。ＵＥはまた、ｅＮＢにデータを送信するために、データセクションにおいてリソース要素ブロック４２０ａ、４２０ｂを割り当てられ得る。ＵＥは、制御セクション内の割り当てられたリソース要素ブロック上で、物理ＵＬ制御チャネル（ＰＵＣＣＨ）において制御情報を送信し得る。ＵＥは、データセクション内の割り当てられたリソース要素ブロック上で、物理ＵＬ共有チャネル（ＰＵＳＣＨ）において、データのみ、またはデータと制御情報の両方を送信し得る。ＵＬ送信は、サブフレームの両方のスロットにまたがることができ、周波数にわたってホッピングし得る。
【００４５】
[0055]  リソース要素ブロックのセットは、物理ランダムアクセスチャネル（ＰＲＡＣＨ）４３０において、初期システムアクセスを行い、ＵＬ同期を達成するために使用され得る。ＰＲＡＣＨ４３０は、ランダムシーケンスを搬送し、いずれのＵＬデータ／シグナリングも搬送することはできない。各ランダムアクセスプリアンブルは、６個の連続するリソース要素ブロックに対応する帯域幅を占有する。開始周波数はネットワークによって指定される。すなわち、ランダムアクセスプリアンブルの送信は、ある特定の時間および周波数リソースに制限される。ＰＲＡＣＨには周波数ホッピングはない。ＰＲＡＣＨの試み（PRACH attempt）は、単一のレガシーＬＴＥサブフレーム（１ｍｓ）において、または少数の連続したレガシーＬＴＥサブフレームのシーケンスにおいて搬送され、ＵＥは、フレーム（１０ｍｓ）ごとに単一のＰＲＡＣＨの試みのみを行うことができる。
【００４６】
[0056]  図５は、レガシーＬＴＥにおけるユーザおよび制御プレーンのための無線プロトコルアーキテクチャの例を例示する図５００であり、それは、また、本開示で説明されているＵＬＬ ＬＴＥ技法のための無線プロトコルアーキテクチャとしても使用され得る。具体的に、図５に示されている無線プロトコルアーキテクチャは、本明細書に開示されている任意のＵＥとｅＮＢ（または、ネットワークエンティティもしくはアクセスポイント）との間の通信に利用され得る。例えば、そのようなＵＥは、限定ではないが、図１のＵＥ１１５、図２のＵＥ２０６、図６のＵＥ６５０、図１０の装置１００２のＵＥインプリメンテーション、および／または図１１の装置１００２’のＵＥインプリメンテーション、または送信制御コンポーネント６６１（図６参照）を含む任意のＵＥのようなＵＥを含み得る。加えて、そのようなｅＮＢ（または、ネットワークエンティティもしくはアクセスポイント）は、図１のアクセスポイント１０５、図２のより低い電力クラスのｅＮＢ２０８またはｅＮＢ２０４、図６のｅＮＢ６１０、または図１０のネットワークエンティティ１００８に対応し得る。
【００４７】
[0057]  図５の無線プロトコルアーキテクチャは、レイヤ１、レイヤ２、およびレイヤ３という３つのレイヤで示されている。レイヤ１（Ｌ１レイヤ）は、最下位レイヤであり、様々な物理レイヤの信号処理機能をインプリメントする。Ｌ１レイヤは、本明細書では物理レイヤ５０６と称されることになる。レイヤ２（Ｌ２レイヤ）５０８は、物理レイヤ５０６より上にあり、物理レイヤ５０６を介したＵＥとｅＮＢとの間のリンクを担う。
【００４８】
[0058]  ユーザプレーンにおいて、Ｌ２レイヤ５０８は、媒体アクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、これらは、ネットワーク側のｅＮＢにおいて終端される。示されていないが、ＵＥは、ネットワーク側のＰＤＮゲートウェイ１１８において終端されるネットワークレイヤ（例えば、ＩＰレイヤ）と、接続の他端（例えば、遠端のＵＥ、サーバ、等）において終端されるアプリケーションレイヤとを含む、Ｌ２レイヤ５０８より上にあるいくつかの上位レイヤを有し得る。
【００４９】
[0059]  ＰＤＣＰサブレイヤ５１４は、異なる無線ベアラと論理チャネルとの間での多重化を提供する。ＰＤＣＰサブレイヤ５１４は、また、無線送信オーバヘッドを低減するための上位レイヤデータパケットのためのヘッダ圧縮、データパケットを暗号化することによるセキュリティ、およびｅＮＢ間でのＵＥに対するハンドオーバサポートを提供する。ＲＬＣサブレイヤ５１２は、上位レイヤデータパケットのセグメンテーションおよびリアセンブリ、損失したデータパケットの再送信、およびハイブリッド自動再送要求（ＨＡＲＱ）による順序通りでない受信を補償するためのデータパケットの再順序付けを提供する。ＭＡＣサブレイヤ５１０は、論理チャネルとトランスポートチャネルとの間での多重化を提供する。ＭＡＣサブレイヤ５１０は、また、１つのセル内の様々な無線リソース（例えば、リソース要素ブロック）を複数のＵＥ間で割り振ることを担う。ＭＡＣサブレイヤ５１０は、ＨＡＲＱ動作もまた担う。
【００５０】
[0060]  制御プレーンにおいて、ＵＥおよびｅＮＢのための無線プロトコルアーキテクチャは、制御プレーンのためのヘッダ圧縮機能がないことを除いて、物理レイヤ５０６およびＬ２レイヤ５０８については実質的に同じである。制御プレーンは、また、レイヤ３（Ｌ３レイヤ）に無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間でのＲＲＣシグナリングを使用して下位レイヤを構成することとを担う。
【００５１】
[0061]  図６は、アクセスネットワークにおいてＵＥ６５０と通信しているｅＮＢ６１０のブロック図である。ある態様において、ｅＮＢ６１０およびＵＥ６５０は、本開示で開示されているＬＴＥならびにＵＬＬ ＬＴＥ通信および送信電力制御に関連する１つまたは複数の態様を行うように構成され得る。ある態様において、ＵＥ６５０は、図１のＵＥ１１５、図２のＵＥ２０６、図６のＵＥ６５０、図１０の装置１００２のＵＥインプリメンテーション、および／または図１１の装置１００２’のＵＥインプリメンテーション、または送信制御コンポーネント６６１（図６参照）を含む任意のＵＥであり得る。加えて、ｅＮＢ６１０は、本開示にしたがって、ネットワークエンティティまたはアクセスポイントを構成し得、それゆえ、図１のアクセスポイント１０５、図２のより低い電力クラスのｅＮＢ２０８またはｅＮＢ２０４、図６のｅＮＢ６１０、または図１０のネットワークエンティティ１００８に対応し得る。
【００５２】
[0062]  図６のＤＬにおいて、コアネットワークからの上位レイヤパケットは、コントローラ／プロセッサ６７５に提供される。コントローラ／プロセッサ６７５はＬ２レイヤの機能をインプリメントする。ＤＬにおいて、コントローラ／プロセッサ６７５は、ヘッダ圧縮、暗号化、パケットのセグメンテーションおよび再順序付け、論理チャネルとトランスポートチャネルとの間での多重化、および様々な優先度メトリックに基づいたＵＥ６５０への無線リソース割振りを提供する。コントローラ／プロセッサ６７５は、また、ＨＡＲＱ動作、損失したパケットの再送信、およびＵＥ６５０へのシグナリングを担う。
【００５３】
[0063]  送信（ＴＸ）プロセッサ６１６は、Ｌ１レイヤ（すなわち、物理レイヤ）のための様々な信号処理機能をインプリメントする。信号処理機能は、ＵＥ６５０における前方誤り訂正（ＦＥＣ：forward error correction）を容易にするためにコーディングおよびインターリーブすることと、様々な変調方式（例えば、二相位相変調（ＢＰＳＫ）、四相位相変調（ＱＰＳＫ）、Ｍ相位相変調（Ｍ−ＰＳＫ）、Ｍ値振幅位相変調（Ｍ−ＱＡＭ））に基づいて信号コンステレーションにマッピングすることとを含む。コーディングおよび変調されたシンボルは、次いで、並列ストリームに分けられる。各ストリームは、次いで、時間ドメインのＯＦＤＭシンボルストリームを搬送する物理チャネルを作り出すために、ＯＦＤＭサブキャリアにマッピングされ、時間および／または周波数ドメインにおいて基準信号（例えば、パイロット）と多重化され、次いで、逆高速フーリエ変換（ＩＦＦＴ）を使用して共に組み合わされる。ＯＦＤＭストリームは、複数の空間ストリームを作り出すために空間的にプリコーディングされる。チャネル推定器６７４からのチャネル推定値は、コーディングおよび変調方式を決定するため、ならびに空間処理のために使用され得る。チャネル推定値は、ＵＥ６５０によって送信されたチャネル状態フィードバックおよび／または基準信号から導出され得る。各空間ストリームは、次いで、別個の送信機６１８ＴＸを介して異なるアンテナ６２０に提供される。各送信機６１８ＴＸは、送信のためにそれぞれの空間ストリームでＲＦキャリアを変調する。
【００５４】
[0064]  ＵＥ６５０において、各受信機６５４ＲＸは、そのそれぞれのアンテナ６５２を通して信号を受信する。各受信機６５４ＲＸは、ＲＦキャリア上に変調された情報を復元し、受信（ＲＸ）プロセッサ６５６にその情報を提供する。ＲＸプロセッサ６５６は、Ｌ１レイヤの様々な信号処理機能をインプリメントする。ＲＸプロセッサ６５６は、ＵＥ６５０に向けた任意の空間ストリームを復元するために、その情報に対して空間処理を行う。複数の空間ストリームがＵＥ６５０に向けられている場合、それらは、ＲＸプロセッサ６５６によって単一のＯＦＤＭシンボルストリームに組み合わされ得る。ＲＸプロセッサ６５６は、次いで、高速フーリエ変換（ＦＦＴ）を使用して、時間ドメインから周波数ドメインにＯＦＤＭシンボルストリームを変換する。周波数領域信号は、ＯＦＤＭ信号のサブキャリアごとに別個のＯＦＤＭシンボルストリームを含む。各サブキャリア上のシンボルおよび基準信号は、ｅＮＢ６１０によって送信される、最も可能性の高い信号コンステレーションポイントを決定することによって復元および復調される。これらの軟判定（soft decision）は、チャネル推定器６５８によって算出されるチャネル推定値に基づき得る。軟判定は、次いで、物理チャネル上でｅＮＢ６１０によって初めに送信されたデータおよび制御信号を復元するために、復号およびデインタリーブされる。データおよび制御信号は、次いで、コントローラ／プロセッサ６５９に提供される。
【００５５】
[0065]  コントローラ／プロセッサ６５９はＬ２レイヤをインプリメントする。コントローラ／プロセッサは、プログラムコードおよびデータを記憶するメモリ６６０に関連付けられることができる。メモリ６６０は、コンピュータ可読媒体と称され得る。ＵＬにおいて、コントローラ／プロセッサ６５９は、コアネットワークからの上位レイヤパケットを復元するために、トランスポートチャネルと論理チャネルとの間でのデマルチプレクシング、パケットのリアセンブリ、暗号解読、ヘッダ圧縮解除、制御信号処理を提供する。上位レイヤパケットは、次いで、データシンク６６２に提供され、それは、Ｌ２レイヤより上のすべてのプロトコルレイヤを表す。様々な制御信号もまた、Ｌ３処理のために、データシンク６６２に提供され得る。コントローラ／プロセッサ６５９は、また、ＨＡＲＱ動作をサポートするために、確認応答（ＡＣＫ）および／または否定確認応答（ＮＡＣＫ）プロトコルを使用した誤り検出を担う。加えて、ＵＥ６５０は、本開示で説明されているレガシーおよび／またはＵＬＬプロセスにしたがって、データおよび／または制御情報を生成し、それをネットワークエンティティ（例えば、アクセスポイント１０５）に送信するように構成された送信制御コンポーネント６６１を含み得る。
【００５６】
[0066]  ＵＬにおいて、データソース６６７は、コントローラ／プロセッサ６５９に上位レイヤパケットを提供するために使用される。データソース６６７は、Ｌ２レイヤより上のすべてのプロトコルレイヤを表す。ｅＮＢ６１０によるＤＬ送信に関連して説明された機能に類似して、コントローラ／プロセッサ６５９は、ヘッダ圧縮、暗号化、パケットのセグメンテーションおよび再順序付け、およびｅＮＢ６１０による無線リソース割振りに基づいた論理チャネルとトランスポートチャネルとの間での多重化を提供することによって、ユーザプレーンおよび制御プレーンのためのＬ２レイヤをインプリメントする。コントローラ／プロセッサ６５９は、また、ＨＡＲＱ動作、損失したパケットの再送信、およびｅＮＢ６１０へのシグナリングを担う。
【００５７】
[0067]  ｅＮＢ６１０によって送信されたフィードバックまたは基準信号からチャネル推定器６５８によって導出されたチャネル推定値は、適切なコーディングおよび変調方式を選択するため、および空間処理を容易にするために、ＴＸプロセッサ６６８によって使用され得る。ＴＸプロセッサ６６８によって生成された空間ストリームは、別個の送信機６５４ＴＸを介して異なるアンテナ６５２に提供される。各送信機６５４ＴＸは、送信のためにそれぞれの空間ストリームでＲＦキャリアを変調する。
【００５８】
[0068]  ＵＬ送信は、ＵＥ６５０における受信機の機能に関連して説明されたものに類似した方法でｅＮＢ６１０において処理される。各受信機６１８ＲＸは、そのそれぞれのアンテナ６２０を通して信号を受信する。各受信機６１８ＲＸは、ＲＦキャリア上に変調された情報を復元し、ＲＸプロセッサ６７０にその情報を提供する。ＲＸプロセッサ６７０は、Ｌ１レイヤをインプリメントし得る。
【００５９】
[0069]  コントローラ／プロセッサ６７５は、Ｌ２レイヤをインプリメントする。コントローラ／プロセッサ６７５は、プログラムコードおよびデータを記憶するメモリ６７６に関連付けられることができる。メモリ６７６は、コンピュータ可読媒体と称され得る。ＵＬでは、コントローラ／プロセッサ６７５は、ＵＥ６５０からの上位レイヤパケットを復元するために、トランスポートチャネルと論理チャネルとの間でのデマルチプレクシング、パケットのリアセンブリ、暗号解読、ヘッダの圧縮解除、制御信号処理を提供する。コントローラ／プロセッサ６７５からの上位レイヤパケットは、コアネットワークに提供され得る。コントローラ／プロセッサ６７５は、また、ＨＡＲＱ動作をサポートするために、ＡＣＫおよび／またはＮＡＣＫプロトコルを使用した誤り検出を担う。加えて、コントローラ／プロセッサは、と通信状態であり得る。
【００６０】
[0070]  図７は、複数のスケジューリングされたアップリンク送信を含む例となるＬＴＥサブフレーム７００を例示する図であり、それは、第１のアップリンク送信７０８と第２のアップリンク送信７１０とを含む。ある態様において、第１のコンポーネントキャリア（ＣＣ１）７０２は、１つまたは複数のレガシーＬＴＥアップリンク送信を搬送するようにスケジューリングされ得、第２のコンポーネントキャリア（ＣＣ２）７０３は、１つまたは複数のＵＬＬアップリンク送信を搬送するようにスケジューリングされ得る。例となるサブフレーム７００に示されているように、第１のアップリンク送信７０８および第２のアップリンク送信７１０は、重複している送信時間期間７２０中にＵＥによって送信されるようにスケジューリングされ得る。言い換えると、アップリンク送信は「衝突する」場合がある。例えば、図７のサブフレーム７００において、第１のアップリンク送信７０８および第２のアップリンク送信７１０の両方は、重複している送信時間期間７２０によって示されている、サブフレーム７００の第５シンボル（シンボル番号４）中の送信のためにスケジューリングされ得る。加えて、ある態様において、図７に示されているように、（レガシーＬＴＥを使用する）第１のアップリンク送信７０８は、１つまたは複数の復調基準信号（ＤＭ−ＲＳ：demodulation reference signal）シンボル７０９を含み得、それは、レガシーＬＴＥの第１のアップリンク送信７０８がＰＵＳＣＨまたはＰＵＣＣＨ送信である場合に、チャネル推定および／またはコヒーレント復調のために１つまたは複数のネットワーク側のデバイスによって利用され得る。図７には示されていないが、いくつかの例において、重複している送信時間期間７２０は、第１のアップリンク送信７０８におけるこのようなＤＭ−ＲＳシンボル７０９と同時に起こることもある。
【００６１】
[0071]  さらに、図７は、単一シンボルの持続時間（シンボル番号４）を有する重複している送信時間期間７２０中にレガシーＬＴＥアップリンク送信（第１のアップリンク送信７０８）がＵＬＬアップリンク送信（第２のアップリンク送信７１０）と衝突するシナリオを例示しているが、このシナリオは、決して限定的なものではない。例えば、本開示で説明されている送信電力制御技法は、どちらかの衝突している送信に関連付けられた送信タイプ（すなわち、レガシーＬＴＥまたはＵＬＬ ＬＴＥ）にかかわらずインプリメントされることができる。例えば、本明細書に説明されている技法は、２つ以上の衝突している送信がすべて同じ送信タイプ（例えば、すべてＵＬＬ ＬＴＥまたはすべてレガシーＬＴＥ）である場合と、ならびに２つ以上の衝突している送信が、各送信タイプの少なくとも１つの送信を含む場合と（図７に例示されているシナリオ）において、インプリメントされることができる。さらに、２つのコンポーネントキャリア（ＣＣ１ ７０２およびＣＣ ７０３）が図７に示されているが、この例は非限定的である。例えば、その能力に依存して、特定のＵＥは、３つ以上のコンポーネントキャリア上で３つ以上の送信を同時に行うようにスケジューリングされ得、これらの送信の各々のための送信電力制御を実行し得る。
【００６２】
[0072]  図７のサブフレーム７００に例示されているインプリメンテーションシナリオに戻ると、第１のアップリンク送信７０８および第２のアップリンク送信７１０は各々、関連する送信電力、すなわち、第１の送信電力および第２の送信電力をそれぞれ有し得る。これらのそれぞれの送信電力は、それぞれのアップリンク送信が送信されるようにスケジューリングされる送信電力レベルを表す。しかしながら、本開示のある態様において、第１の送信電力または第２の送信電力の一方または両方は、第１のアップリンク送信７０８および第２のアップリンク送信７１０が、重複している送信時間期間７２０中に衝突する場合に変更され得る。例えば、ある態様において、ＵＥは、第１の送信電力と第２の送信電力の合計が、そのシンボルに関するＵＥの利用可能な総送信電力を超えるかどうかを決定するように構成され得る。その合計が総送信電力を超える場合、ＵＥは、そのサブフレームに関して電力制限条件が存在することを決定し得、結果として、ＵＥは、第１の送信電力または第２の送信電力の一方または両方を調整し得る。
【００６３】
[0073]  他の例において、第１の送信電力または第２の送信電力の一方または両方は、対応する保証最小送信電力にスケーリングされ得る。例えば、第１のアップリンク送信７０８がレガシー送信であり、第２のアップリンク送信７１０がＵＬＬ送信である場合、第１の送信電力は、レガシー保証送信電力に調整され得、第２の送信電力は、ＵＬＬ保証送信電力に調整され得る。ある態様において、レガシー保証送信電力とＵＬＬ保証送信電力の合計は、そのシンボルに関する全体の利用可能な送信電力以下になるように構成され得、その結果、レガシーアップリンク送信およびＵＬＬアップリンク送信の両方が、ネットワークエンティティに送信されることができる。さらに、いくつかの例において、ＵＥは、他の送信と比べてある特定の送信に、任意の利用可能な送信電力への優先度を与え得る。例えば、１つの例となるインプリメンテーションにおいて、そのシンボルに関するＵＥのための利用可能な送信電力から第１の送信電力が減じられた後に第２のアップリンク送信７１０のための最小アップリンク送信電力が利用可能である限り、第１のアップリンク送信７０８に優先度が与えられ得る。本開示の送信電力制御技法のこれらの態様および他の態様は、以下の図８を参照してさらに説明される。
【００６４】
[0074]  図８は、送信制御コンポーネント６６１の複数のサブコンポーネントを含むブロック図であり、それは、データおよび／または制御情報を生成し、それを１つまたは複数のネットワークエンティティに送信するためにＵＥによってインプリメントされ得る。例えば、送信制御コンポーネント６６１をインプリメントするそのようなＵＥは、図１のＵＥ１１５、図２のＵＥ２０６、図６のＵＥ６５０、図１０の装置１００２のＵＥインプリメンテーション、および／または図１１の装置１００２’のＵＥインプリメンテーション、または送信制御コンポーネント６６１を含む任意のＵＥのいずれかを含み得る。本開示のある態様において、送信制御コンポーネント６６１は、アップリンク送信スケジュール決定コンポーネント８０２を含み得、これは、（例えば、１つまたは複数のリソース要素、リソース要素ブロック、周波数、トーン、コンポーネントキャリア、サブキャリア、または他の任意の伝送媒体もしくはリソースを識別する）リソース情報、およびタイミング情報（例えば、１つまたは複数のシンボル、スロット、サブフレーム、フレーム、等）、またはタイミング情報において示される時間期間中に、いつ、どの周波数を介して、１つまたは複数の信号がネットワークエンティティに１つまたは複数のＵＥによって送信されるべきかを示す他の任意の情報を含み得る、アップリンク送信スケジュールを決定、またはそうでなければ取得するように構成され得る。
【００６５】
[0075]  さらに、第１のアップリンク送信７０８および第２のアップリンク送信７１０は各々、関連する送信電力、すなわち、第１の送信電力８０６および第２の送信電力８１０をそれぞれ有し得る。これらのそれぞれの送信電力は、それぞれのアップリンク送信が送信されるようにスケジューリングされる電力レベルを表す。ある態様において、第１の送信電力８０６および第２の送信電力８１０は、ＵＥのためのアップリンク送信のスケジューリングを担当し、またそのスケジューリングされた送信に関連付けられた送信電力の設定も担当するネットワークエンティティのような、ＵＥ以外の別のデバイスから取得され得る。このようなケースにおいて、第１の送信電力８０６および第２の送信電力８１０は、スケジューリングされた送信ごとに、またはスロット、フレーム、サブフレームごと、または他の任意の時間単位ごとに更新され得、スケジューリングするネットワークエンティティから受信されるスケジューリングメッセージに含まれ得る。
【００６６】
[0076]  ある態様において、例えば、第１のアップリンク送信７０８および第２のアップリンク送信７１０が、重複している送信時間期間を構成するサブフレームのシンボル中の送信のために同時にスケジューリングされる（図７参照）、ｅＮＢのようなネットワークエンティティから。言い換えると、アップリンク送信スケジュール決定コンポーネント８０２は、第１のアップリンク送信７０８および第２のアップリンク送信７１０がそのシンボルにおいて衝突することを決定するように構成され得る。加えて、いくつかの例において、第１のアップリンク送信７０８は、関連する第１のアップリンク送信ＴＴＩ８０４と第１の送信電力８０６とを有し得る。同様に、第２のアップリンク送信７１０は、第１のアップリンク送信ＴＴＩ８０４とは異なる関連する第２のアップリンク送信ＴＴＩ８０８と第２の送信電力８１０とを有し得る。いくつかの例において、第１のアップリンク送信ＴＴＩ８０４および第２のアップリンク送信ＴＴＩ８０８の各々は、関連する送信がレガシーＬＴＥ送信であるかＵＬＬ ＬＴＥ送信であるかに依存し得る。例えば、送信がレガシーＬＴＥ送信としてスケジューリングされる場合、関連するＴＴＩ（すなわち、第１のアップリンク送信ＴＴＩ８０４および／または第２のアップリンク送信ＴＴＩ８０８）は、１サブフレームのオーダー、または約１ミリ秒であり得る。代替的に、送信がＵＬＬ ＬＴＥ送信としてスケジューリングされる場合、関連するＴＴＩ（すなわち、第１のアップリンク送信ＴＴＩ８０４および／または第２のアップリンク送信ＴＴＩ８０８）は、レガシーＬＴＥサブフレームの１シンボルオーダー、または約７０〜９０ミリ秒であり得る。
【００６７】
[0077]  さらに、送信制御コンポーネント６６１は、電力制限条件決定コンポーネント８１２を含み得、これは、電力制限条件が第１の送信電力８０６または第２の送信電力８１０の一方または両方に関して満たされているかどうかを決定するように構成され得る。例えば、ある態様において、電力制限条件決定コンポーネント８１２は、第１の送信電力８０６と第１の最大電力（または第１の保証電力）との比較に基づいて、電力制限条件が存在することを決定するように構成され得る。代替的または追加的に、電力制限条件決定コンポーネント８１２は、第２の送信電力８１０と第２の最大電力（または、第２の保証電力）との比較に基づいて、電力制限条件が存在することを決定するように構成され得る。ある態様において、アップリンク送信スケジュール決定コンポーネント８０２は、第１のアップリンク送信７０８（および／または、一般に、第１のアップリンク送信ＴＴＩ８０４を有する任意の送信）のための第１の最大（または保証）電力と、第２のアップリンク送信ＴＴＩ８０８（および／または、一般に、第２のアップリンク送信ＴＴＩ８０８を有する任意の送信）のための第２の最大（または保証）電力との構成を（例えば、ネットワークエンティティから）受信する、またはそうでなければ取得するようにさらに構成され得る。いくつかの例において、電力制限条件決定コンポーネント８１２は、第１の送信電力８０６と第２の送信電力８１０の合計が、その間送信が衝突する特定のサブフレームに関する全体の利用可能な電力を超えるかどうかに基づいて、電力制限条件が存在することを決定するように構成され得る。
【００６８】
[0078]  さらなる態様において、送信制御コンポーネント６６１は、送信電力調整コンポーネントを含み得、これは、電力制限条件が満たされているという決定に基づいて、第１の送信電力８０６、第２の送信電力８１０、またはこれらの組合せを調整するように構成され得る。例えば、送信電力調整コンポーネント８１４は、電力制限条件が満たされているときに第１の最大（または保証）電力に基づいて第１の送信電力８０６を調整するように構成され得る。さらに、送信電力調整コンポーネント８１４は、電力制限条件が満たされているときに第２の最大（または保証）電力に基づいて第２の送信電力を調整するように構成され得る。
【００６９】
[0079]  さらなる態様において、送信電力調整コンポーネント８１４は、第１のアップリンク送信７０８および／または第２のアップリンク送信７１０のための電力制御モード８１６を示す構成を（例えば、ネットワークエンティティから）受信する、またはそうでなければ取得するように構成され得、受信された電力制御モード８１６にさらに基づいて送信電力調整を行い得る。例えば、電力制御モード８１６は、第１の電力制御モードを含み得、ここで、第２のアップリンク送信７１０（または第２のアップリンク送信ＴＴＩ８０８を有する他の任意の送信）は、サブフレームの特定のシンボルに関する利用可能なアップリンク送信電力を割り振るときに、第１のアップリンク送信７０８（または第１のアップリンク送信ＴＴＩ８０４を有する他の任意の送信）よりも優先され得る。加えて、第１の電力制御モードによると、第２のアップリンク送信がより高い優先度を与えられ得るが、第１のアップリンク送信７０８は、保証最小送信電力８２２を割り振られ得る。
【００７０】
[0080]  代替的な態様において、電力制御モード８１６は、第２の電力制御モードを含み得、ここで、第１の送信電力８０６および第２の送信電力８１０は、それぞれ、第１の保証最小送信電力および第２の保証最小送信電力に基づいてスケーリングされる。このように、送信電力調整コンポーネント８１４は、スケーリングコンポーネント８１８を含み得、これは、スケーリングされた送信電力の合計がシンボルの総送信電力８２０を超えないように、第１の送信電力８０６または第２の送信電力８１０の一方または両方をスケーリングするように構成され得る。第１の保証電力と第２の保証電力の合計がＵＥ固有の最大電力に等しいとき、電力スケーリングは、ＴＴＩごとに、電力制限条件がある場合に、送信電力が対応する保証最小電力にスケーリングされるようにし得る。第１の保証電力と第２の保証電力の合計がＵＥ固有の最大電力よりも少ないとき、残りの電力は、使用されないか、またはより高い優先度のＴＴＩに動的に割り振られるかのいずれかであり得る。
【００７１】
[0081]  さらに、送信電力調整コンポーネント８１４は、第１のＴＴＩおよび／または第２のＴＴＩの送信に関連付けられた１つまたは複数のパラメータに基づいて、第１の送信電力８０６および第２の送信電力８１０の一方または両方を調整するように構成され得る。例として、電力制御モードは、第１のアップリンク送信７０８に関連付けられた変調方式にさらに基づき得る。変調次数がＱＰＳＫである場合、第１の電力制御モードが使用され得る。変調次数が１６ＱＡＭ、６４ＱＡＭ、２５６ＱＡＭ、等である場合、第２の電力制御モードが使用され得る。これは、ＱＰＳＫベースのアップリンク送信が、他の高次変調方式と比べて、アップリンク電力スケーリングおよび様々なトラフィック対パイロット比にあまり影響されないということに起因する。別の例として、電力制御モードは、第１のアップリンク送信７０８に関連付けられたランクに基づき得る。ランクが１である場合、第１の電力制御モードが使用され得る。ランクが１より大きい場合、第２の電力制御モードが使用される。さらに別の例として、アップリンク電力制御は、第１のアップリンク送信７０８に関連付けられたシンボルが復調基準信号（ＤＭ−ＲＳ）シンボルであるか否かに基づき得る。シンボルがＤＭ−ＲＳシンボルである場合、第１のＴＴＩは、電力優先度付けに関してより高い優先度が与えられ得る。シンボルがＤＭ−ＲＳシンボルではない場合、第１のＴＴＩは、電力優先度付けに関してより低い優先度が与えられ得る。
【００７２】
[0082]  ある態様において、送信電力調整コンポーネント８１４は、第１のＴＴＩおよび／または第２のＴＴＩの、送信に関連付けられたチャネルタイプに基づいて、第１の送信電力８０６および第２の送信電力８１０の一方または両方を調整するように構成され得る。例として、ＰＵＳＣＨ送信の場合、電力制御モードは、第１または第２の電力制御モードのいずれかに基づき得る。ＰＵＣＣＨまたはＰＲＡＣＨ送信の場合、電力制御モードは、第２の電力制御モードのみに制限され得る。
【００７３】
[0083]  ある態様において、ＴＴＩに関する保証最小電力または最大電力は、ハードコーディングされ得るか、または、例えば、相対的または絶対的なスケールで構成され得る。例として、相対的なスケールでは、ＴＴＩに関する保証最小電力（または最大電力）は、ＵＥ固有の最大電力のあるパーセンテージ、例えば、５０％と指定され得る。別の例として、絶対的なスケールでは、ＴＴＩに関する保証最小電力（または、最大電力）は、ｄＢｍで、例えば、１８ｄＢｍと指定され得る。
【００７４】
[0084]  ある態様において、ＴＴＩに関する保証最小電力または最大電力はチャネルタイプに依存し得る。例として、第１の保証最小電力は、ＰＵＳＣＨ送信の場合に指定され得るが、第２の保証送信最小電力は、ＰＵＣＣＨ送信の場合に指定され得る。追加的または代替的に、ＴＴＩに関する保証最小電力または最大電力の指定は、アップリンク制御情報タイプに依存し得る。例えば、周期的なチャネル状態情報のみを持つＰＵＣＣＨ送信の場合は、第１の保証最小電力が指定され得るのに対して、ＡＣＫ／ＮＡＣＫまたはＳＲを持つＰＵＣＣＨ送信の場合は、第２の保証送信最小電力が指定され得る。
【００７５】
[0085]  さらなる態様において、ＴＴＩに関する保証最小電力または最大電力は、そのＴＴＩに関する送信に関連付けられたパラメータに依存し得る。例として、第１の保証最小電力は、ランク１のＰＵＳＣＨ送信の場合に指定され得るが、一方で、第２の保証送信最小電力は、１より大きいＰＵＳＣＨ送信の場合に指定され得る。例えば、第１の保証最小電力は、ＱＰＳＫベースのＰＵＳＣＨ送信の場合に指定され得るが、一方で、第２の保証送信最小電力は、高次変調（例えば、１６ＱＡＭ以上）を持つＰＵＳＣＨ送信の場合に指定され得る。
【００７６】
[0086]  ある態様において、レガシーアップリンク送信（例えば、ＰＵＳＣＨ）へのシンボルごとのベースでの電力スケーリングがある場合、トラフィック対パイロット比（ＴＰＲ）は、サブフレーム内でもはや一定でないこともある。ＰＵＳＣＨのための２つのスロットにおけるＤＭ−ＲＳは、異なる電力レベルも同様に有し得る。レガシーアップリンク送信のためのサブフレーム内のシンボルにわたる可変ＴＰＲレベルは、サブフレーム内のシンボルにわたって一定のＴＰＲが想定されるときのケースと比べて、ｅＮＢの復号におけるさらなる複雑性を引き起こす。ＰＵＳＣＨ送信に基づくＱＰＳＫの間、性能低下は著しくない場合もあり、ＰＵＳＣＨ性能低下は、より高い変調次数（例えば、１６ＱＡＭ以上）では著しいこともある。ｅＮＢが限定された仮説検出を行うことだけが必要であるように、レガシーアップリンク送信のためのシンボルにわたる限定されたセットのＴＰＲ値を保つことが望ましい。例として、限定されたセットのＴＰＲ値は、０ｄＢのＴＰＲ、保証ＴＰＲ、および−無限ｄＢのＴＰＲ（すなわち、シンボルに関してゼロ電力またはシンボルがドロップしている）を含み得る。
【００７７】
[0087]  ある態様において、ＵＥは、また、レガシーアップリンク送信の場合サブフレームにおけるシンボルのセットのＴＰＲ値をシグナリングし得る。シグナリングは、そのサブフレームの終わりまでに、または後続のサブフレームにおいて行われ得る。ＴＰＲ値のシグナリングは、スロットごと、またはサブフレームごとのベースで行われ得る。例として、スロットごとに7個のシンボルがあり各スロットに１つのＤＭ−ＲＳシンボルがある、１４個のシンボルで構成されているサブフレームにおけるレガシーＰＵＳＣＨ送信の場合、６ビットのビットマップがスロットごとのＴＰＲ値を示すために使用され得る。ＵＥは、さらに、２つのＤＭ−ＲＳシンボルが異なる電力を有する場合、２つのスロットにおけるＤＭ−ＲＳ電力の差を示し得る。代替的に、２つのスロットにおけるＤＭ−ＲＳシンボルが同じ電力を有する場合、１２ビットのビットマップが、サブフレームにおける１２個のデータシンボルに関するＴＰＲ値を示すために使用され得る。
【００７８】
[0088]  さらなる態様において、送信制御コンポーネント６６１は、送信コンポーネント８２４を含み得、これは、第１の送信電力、第２の送信電力、またはこれらの任意の組合せを調整した後に、シンボル中に第１のアップリンク送信７０８および第２のアップリンク送信７１０を送信するように構成され得る。ある態様において、送信コンポーネント８２４は、送信機、トランシーバ、関連回路、および／またはワイヤレス通信信号を送信するように構成された他の任意のコンポーネントを含み得る。
【００７９】
[0089]  さらに、送信制御コンポーネント６６１は、ＡＣＫ／ＮＡＣＫ管理コンポーネント８２６を含み得、これは、レガシーおよびＵＬＬ送信のためにＵＥに関するＡＣＫ／ＮＡＣＫフィードバックを管理するように構成され得る。例えば、本開示のある態様において、ＡＣＫ／ＮＡＣＫ管理コンポーネント８２６は、レガシー制御チャネル（例えば、ＰＵＳＣＨ）に関するＡＣＫ／ＮＡＣＫフィードバックを生成および送信するように構成され得、それは、送信コンポーネント８２４によって送信される、レガシー制御に関するＡＣＫ／ＮＡＣＫメッセージを搬送し得る。ＰＵＣＣＨは、コンポーネントキャリアに関するＡＣＫ／ＮＡＣＫフィードバック、またはデュアルキャリアシナリオでは同じグループ下のＡＣＫ／ＮＡＣＫフィードバックを搬送し得る。追加的に、ＡＣＫ／ＮＡＣＫ管理コンポーネント８２６は、別個のアップリンク制御チャネル（例えば、ｕＰＵＣＣＨ）を介して、ＵＬＬ通信に関するＡＣＫ／ＮＡＣＫフィードバックを生成および送信するように構成され得、それは、送信コンポーネント８２４を使用してネットワークエンティティにＡＣＫ／ＮＡＣＫメッセージを送信するためにＵＥによって利用され得る（または、その逆も同様である）。ｕＰＵＣＣＨは、キャリアアグリゲーションシナリオではＵＬＬ ＣＣに関するＡＣＫ／ＮＡＣＫフィードバックを、デュアルキャリアシナリオでは同じグループ下のフィードバックを搬送し得る。言い換えると、ＡＣＫ／ＮＡＣＫ管理コンポーネント８２６は、通信がレガシーＬＴＥを利用するかＵＬＬ ＬＴＥを利用するかに依存して、ＰＵＣＣＨおよびｕＰＵＣＣＨの両方を並列に使用して、ＵＥとネットワークエンティティとの間でＡＣＫおよびＮＡＣＫメッセージを生成および通信するように構成され得る。
【００８０】
[0090]  本開示のさらなる態様において、ＵＬＬ動作のために構成されたＵＥは、また、スケジューリング要求管理コンポーネント８２８を使用するレガシーＳＲ動作もサポートし得る。例えば、スケジューリング要求管理コンポーネント８２８は、ネットワークエンティティにアップリンクＵＬＬトラフィックの必要性を示し得るレガシーＳＲを構成し得る。例えば、スケジューリング要求管理コンポーネント８２８は、一意のＳＲ構成を利用し得るか、またはレガシーＬＴＥトラフィックの必要性第１のセットのＳＲサブフレームを利用し、ＵＬＬトラフィックの必要性を示すために第２のセットのＳＲサブフレームを利用し得る。代替的または追加的に、スケジューリング要求管理コンポーネント８２８は、ネットワークエンティティに送られるバッファ状態レポート（ＢＳＲ）においてＵＬＬトラフィックの必要性を示すように構成され得る。代替的または追加的に、スケジューリング要求管理コンポーネント８２８は、ネットワークエンティティにＵＬ ＵＬＬの必要性を示すために単一シンボルベースでの送信を利用し得る。例えば、ＵＬ ＵＬＬ送信の必要性がある場合、スケジューリング要求管理コンポーネント８２８は、コンテンションベースでのｕＰＵＳＣＨ送信を開始し得る。追加的に、ＵＥおよびネットワークエンティティは、専用ＵＬＬ ＳＲチャネル（例えば、ｕＳＲ）を介して通信し得る。専用ｕＳＲのケースにおいて、ＵＥは、専用ＳＲリソース（例えば、無線ベアラ内の特定のサイクリックシフト）を割り当てられ得、これは、周期的に再割り当てされ得る。共有ｕＳＲのケースにおいて、２つ以上のＵＥは、共有ＳＲリソースを割り当てられ得、ＵＥを区別することはネットワークエンティティ（例えば、ｅＮＢ）に委ねられ得る。
【００８１】
[0091]  図９は、本開示の例となる方法９００を例示しており、それは、本明細書のＵＥまたはコンポーネント（例えば、図６および８の送信制御コンポーネント６６１）によって行われ得る。例えば、ある態様において、ブロック９０２において、方法９００は、第１のアップリンク送信および第２のアップリンク送信が、サブフレームのシンボル中の送信のためにスケジューリングされることを決定することを含み得る。ある態様において、第１のアップリンク送信は、第１のＴＴＩと第１の送信電力とを有し得、第２のアップリンク送信は、第１のＴＴＩとは異なる第２のＴＴＩと第２の送信電力とを有し得る。さらに、ブロック９０２は、図８のアップリンク送信スケジュール決定コンポーネント８０２によって行われ得る。
【００８２】
[0092]  加えて、方法９００は、ブロック９０４において、第１の送信電力または第２の送信電力の一方または両方に関して電力制限条件が満たされていることを決定することを含み得る。ある態様において、図９に具体的には示されていないが、ブロック９０４は、第１のＴＴＩに関する第１の最大電力および／または第２のＴＴＩに関する第２の最大電力の構成を受信することを含み得る。ある態様において、ブロック９０４において電力制限条件が満たされていると決定することは、第１の送信電力と第１の最大電力を比較すること、および／または第２の送信電力と第２の最大電力を比較することを含み得る。代替的または追加的に、ブロック９０４は、第１の送信電力と第２の送信電力の合計をシンボルの総送信電力と比較することを含み得る。ある態様において、ブロック９０４は、図８の電力制限条件決定コンポーネント８１２によって行われ得る。
【００８３】
[0093]  さらに、方法９００は、ブロック９０６において、ブロック９０４における電力制限条件が満たされているという決定に基づいて、第１の送信電力、第２の送信電力、またはこれらの任意の組合せを調整することを含み得る。図９に具体的には示されていないが、ブロック９０６は、電力制御モードを示す構成を受信することと、受信された電力制御モードにさらに基づいて送信電力調整を行うこととを含み得る。加えて、ブロック９０６は、スケーリングされた送信電力の合計がシンボルの総送信電力を超えないように、第１の送信電力または第２の送信電力の一方または両方をスケーリングすることを含み得る。さらに、ブロック９０６は、例となる電力制御モードにしたがって、第２の送信電力よりも第１の送信電力を優先することと、第２の送信電力を保証最小送信電力に調整することとを含み得る。ある態様において、ブロック９０６は、図８の送信電力調整コンポーネント８１４によって行われ得る。
【００８４】
[0094]  さらに、図９に明示的に示されていないが、方法９００は、第１の送信電力、第２の送信電力、またはこれらの任意の組合せを調整した後に、シンボル中に第１のアップリンク送信および第２のアップリンク送信を（例えば、図８の送信コンポーネント８２４を介して）送信することを含み得る。
【００８５】
[0095]  図１０は、実例的な装置１００２における異なるモジュール／手段／コンポーネント間のデータフローを例示する概念的なデータフロー図１０００である。装置１００２は、図１のＵＥ１１５、図２のＵＥ２０６、および／または図６のＵＥ６５０のような、ＵＥであり得る。装置１００２は、ダウンリンクデータ／メッセージ１０１０を受信するように構成された受信モジュール１００４を含み、これは、装置１００２から１つまたは複数のアップリンク送信に関連付けられたタイミング情報およびリソース情報を示す１つまたは複数のスケジューリングメッセージを含み得る。このようなダウンリンクデータ／メッセージ１０１０は、例えば、ネットワークエンティティ１００８によって装置１００２に送信され得、それは、限定ではないが、図１のアクセスポイント１０５、図２のマクロｅＮＢまたは低電力クラスのｅＮＢ２０８、または図６のｅＮＢ６１０を含み得る。
【００８６】
[0096]  一度受信されると、またいくつかの例では復号もしくは処理されると、受信モジュール１００４は、スケジューリングメッセージ１０１２を含む、受信されたダウンリンクデータ／メッセージ１０１０を、送信制御コンポーネント６６１（例えば、図８参照）に送り得る。ある態様において、ダウンリンクデータ／メッセージ１０１０に含まれ得る１つまたは複数のスケジューリングメッセージ１０１２の各々を受信すると、送信制御コンポーネント６６１は、スケジューリングメッセージ１０１２において示された任意の衝突している送信のための必要とされる任意の送信電力制御動作を行い得る。１つまたは複数のアップリンク送信がネットワークエンティティ１００８に送信されることになる送信電力レベルを、送信制御コンポーネント６６１が決定した後、それは、アップリンク送信および関連する送信電力情報１０１４を生成し、それらを送信モジュール１００６に送り得る。順番に、送信モジュール１００６は、スケジューリングメッセージ１０１２において示された時間に、およびそれにおいて示されたリソースを介して、アップリンク送信１０１６をネットワークエンティティ１００８に送信するように構成され得る。
【００８７】
[0097]  装置は、上述の図９のフローチャート中の方法９００（または関連するアルゴリズム）のステップの各々を行う追加のモジュールを含み得る。このように、上述の図９のフローチャート中の各ステップは、モジュールによって行われ得、装置は、それらのモジュールのうちの１つまたは複数を含み得る。これらモジュールは、記述されたプロセス／アルゴリズムを遂行するように特に構成されるか、記述されたプロセス／アルゴリズムを行うように構成されたプロセッサによってインプリメントされるか、プロセッサによるインプリメンテーションのためにコンピュータ可読媒体内に記憶されるか、またはこれらの何らかの組合せの、１つまたは複数のハードウェアコンポーネントであり得る。
【００８８】
[0098]  図１１は、処理システム１１１４を採用する装置１００２’のためのハードウェアのインプリメンテーションの例を例示する図１１００である。装置１００２のように、装置１００２’は、図１のＵＥ１１５、図２のＵＥ２０６、および／または図６のＵＥ６５０のようなＵＥであり得、図１０の装置１００２と同じ装置であり得る。処理システム１１１４は、バス１１２４によって概して表されているバスアーキテクチャを用いてインプリメントされ得る。バス１１２４は、処理システム１１１４の特定の用途と全体的な設計制約に依存して、任意の数の相互接続バスおよびブリッジを含み得る。バス１１２４は、プロセッサ１１０４、送信制御コンポーネント６６１ならびにそれの関連するサブコンポーネント（例えば、図８参照）、およびコンピュータ可読媒体１１０６によって表されている、１つまたは複数のプロセッサおよび／またはハードウェアモジュールを含む様々な回路を共にリンクさせる。バス１１２４はまた、タイミングソース、周辺機器、電圧レギュレータ、および電力管理回路のような他の様々な回路をリンクさせ得、これらは、当該技術分野で周知であり、それゆえ、これ以上は説明されない。
【００８９】
[0099]  処理システム１１１４は、トランシーバ１１１０に結合され得、これは、いくつかの例において、図８の送信コンポーネント８２４および／または図１０の受信モジュール１００４ならびに／もしくは送信モジュール１００６を含み得る。トランシーバ１１１０は、１つまたは複数のアンテナ１１２０に結合される。トランシーバ１１１０は、（限定ではないが、図１のアクセスポイント１０５、図２のマクロｅＮＢ２０４または低電力クラスのｅＮＢ２０８、図６のｅＮＢ６１０、図１０のネットワークエンティティ１００８を含み得る）他の様々な装置と通信するための手段を提供する。処理システム１１１４は、コンピュータ可読媒体１１０６に結合されたプロセッサ１１０４を含む。プロセッサ１１０４は、コンピュータ可読媒体１１０６に記憶されたソフトウェアの実行を含む、一般的な処理を担っている。このソフトウェアは、プロセッサ１１０４によって実行されると、処理システム１１１４に、任意の特定の装置に関して上述された様々な機能を行わせる。コンピュータ可読媒体１１０６は、また、ソフトウェアを実行するときにプロセッサ１１０４によって操作されるデータを記憶するために使用され得る。処理システムは、さらに、送信制御コンポーネント６６１およびそれの関連するサブコンポーネント（例えば、図８参照）を含み、それらは、本開示で説明されている送信電力制御のための技法のうちの１つまたは複数を行うように構成され得る。これらモジュール／コンポーネントは、プロセッサ１１０４において稼働し、コンピュータ可読媒体１１０６に存在／記憶されたソフトウェアモジュール、プロセッサ１１０４に結合された１つまたは複数のハードウェアモジュール、またはこれらの何らかの組合せであり得る。
【００９０】
[00100］  開示されたプロセスにおけるステップの特定の順序または階層は、実例的なアプローチの例示であることが理解される。設計の選好に基づいて、これらプロセスにおけるステップの特定の順序または階層が並べ替えられ得ることが理解される。さらに、いくつかのステップは、組み合わされ得るか、または省略され得る。添付の方法の請求項は、様々なステップの要素を例となる順序で提示するが、提示された特定の順序または階層に限定されることが意図されたものではない。
【００９１】
[00101]  先の説明は、当業者が本明細書に説明された様々な態様を実現することを可能にするために提供されている。これらの態様に対する様々な修正は、当業者にとって容易に明らかとなり、本明細書で定義される包括的な原理は他の態様に適用され得る。したがって、特許請求の範囲は、本明細書に示されている態様に限定されるように意図されたものではなく、請求項の文言と矛盾しない最大範囲であると認められるべきであり、ここで、単数の要素への参照は、そのように明確に記載されていない限り、「１つおよび１つのみ」を意味するのではなく、むしろ「１つまたは複数」を意味するように意図されている。そうでないことが明確に記載されていない限り、「いくつかの」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはこれらの任意の組合せ」といった組合せは、Ａ、Ｂ、および／またはＣの任意の組合せを含み、Ａの倍数、Ｂの倍数、またはＣの倍数を含み得る。特に、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはこれらの任意の組合せ」といった組合せは、Ａのみ、Ｂのみ、Ｃのみ、ＡとＢ、ＡとＣ、ＢとＣ、またはＡとＢとＣであってもよく、ここで、このような任意の組合せが、Ａ、Ｂ、またはＣのメンバーもしくは１つまたは複数のメンバーを含み得る。当業者に既知である、または後に知られることになる、本開示全体にわたって説明された様々な態様の要素に対するすべての構造的および機能的な同等物が、参照によって本明細書に明確に組み込まれ、特許請求の範囲によって包含されることが意図されている。さらに、本明細書に開示されたものが特許請求の範囲に明示的に記載されているかどうかにかかわらず、そのような開示のいずれも、公に寄与されることを意図したものではない。「モジュール」、「メカニズム」、「要素」、「デバイス」、および同様の用語は、「手段」という用語の代用物でないこともある。このように、いずれの請求項の要素も、その要素が「〜のための手段」というフレーズを使用して明示的に記載されていない限り、ミーンズプラスファンクションとして解釈されるべきではない。
以下に、本願出願の当初の特許請求の範囲に記載された発明を付記する。
［Ｃ１］
送信電力制御の方法であって、
第１のアップリンク送信および第２のアップリンク送信が、サブフレームのシンボル中の送信のためにスケジューリングされることを決定することと、ここにおいて、前記第１のアップリンク送信は、第１の伝送時間間隔（ＴＴＩ）と第１の送信電力とを有し、前記第２のアップリンク送信は、前記第１のＴＴＩとは異なる第２のＴＴＩと第２の送信電力とを有する、
前記第１の送信電力または前記第２の送信電力の一方または両方に関して電力制限条件が満たされていると決定することと、
前記電力制限条件が満たされているという決定に基づいて、前記第１の送信電力または前記第２の送信電力の一方または両方を調整することと
を備える、方法。
［Ｃ２］
前記第１のＴＴＩに関する第１の最大電力および前記第２のＴＴＩに関する第２の最大電力の構成を受信することをさらに備える、Ｃ１に記載の方法。
［Ｃ３］
前記第１のＴＴＩに関する前記電力制限条件は、前記第１の送信電力と前記第１の最大電力の比較に基づいて決定され、前記第１の送信電力は、前記電力制限条件が満たされているときに前記第１の最大電力に基づいて調整される、Ｃ２に記載の方法。
［Ｃ４］
前記第２のＴＴＩに関する前記電力制限条件は、前記第２の送信電力と前記第２の最大電力の比較に基づいて決定され、前記第２の送信電力は、前記電力制限条件が満たされているときに前記第２の最大電力に基づいて調整される、Ｃ２に記載の方法。
［Ｃ５］
前記電力制限条件は、前記第１の送信電力と前記第２の送信電力の合計の、前記シンボルの総送信電力との比較に基づいている、Ｃ１に記載の方法。
［Ｃ６］
電力制御モードを示す構成を受信することと、
前記電力制御モードにさらに基づいて送信電力調整を行うことと
をさらに備える、Ｃ１に記載の方法。
［Ｃ７］
前記第１の送信電力または前記第２の送信電力の一方または両方を前記調整することは、前記第１の送信電力と前記第２の送信電力の合計が前記シンボルの総送信電力を超えないように、前記第１の送信電力または前記第２の送信電力の一方または両方をスケーリングすることを備える、Ｃ１に記載の方法。
［Ｃ８］
前記第２の送信電力よりも前記第１の送信電力を優先することをさらに備え、前記第１の送信電力または前記第２の送信電力の一方または両方を調整することは、前記第２の送信電力を保証最小送信電力に調整することを備える、Ｃ１に記載の方法。
［Ｃ９］
前記第１の送信電力または前記第２の送信電力の一方または両方を調整した後に、前記シンボル中に前記第１のアップリンク送信および前記第２のアップリンク送信を送信することをさらに備える、Ｃ１に記載の方法。
［Ｃ１０］
前記第１のアップリンク送信は、超低レイテンシ（ＵＬＬ）アップリンク送信であり、前記第２のアップリンク送信は、レガシーアップリンク送信である、Ｃ１に記載の方法。
［Ｃ１１］
前記第２のＴＴＩは１サブフレームに相当し、前記第１のＴＴＩは１より小さいサブフレームに相当する、Ｃ１に記載の方法。
［Ｃ１２］
前記調整することは、前記第１のアップリンク送信に関連付けられた変調方式にさらに基づいて行われる、Ｃ１に記載の方法。
［Ｃ１３］
前記調整することは、前記第２のアップリンク送信に関連付けられた変調方式にさらに基づいて行われる、Ｃ１に記載の方法。
［Ｃ１４］
前記調整することは、前記第１のアップリンク送信または前記第２のアップリンク送信に関連付けられたチャネルのタイプに基づいて行われる、Ｃ１に記載の方法。
［Ｃ１５］
送信電力制御を行うための装置であって、
第１のアップリンク送信および第２のアップリンク送信が、サブフレームのシンボル中の送信のためにスケジューリングされることを決定するための手段と、ここにおいて、前記第１のアップリンク送信は、第１の伝送時間間隔（ＴＴＩ）と第１の送信電力とを有し、前記第２のアップリンク送信は、前記第１のＴＴＩとは異なる第２のＴＴＩと第２の送信電力とを有する、
前記第１の送信電力または前記第２の送信電力の一方または両方に関して電力制限条件が満たされていると決定するための手段と、
前記電力制限条件が満たされているという決定に基づいて、前記第１の送信電力または前記第２の送信電力の一方または両方を調整するための手段と
を備える、装置。
［Ｃ１６］
送信電力制御のためのコンピュータ実行可能コードを記憶する非一時的なコンピュータ可読媒体であって、前記コードは、
第１のアップリンク送信および第２のアップリンク送信が、サブフレームのシンボル中の送信のためにスケジューリングされることを決定することと、ここにおいて、前記第１のアップリンク送信は、第１の伝送時間間隔（ＴＴＩ）と第１の送信電力とを有し、前記第２のアップリンク送信は、前記第１のＴＴＩとは異なる第２のＴＴＩと第２の送信電力とを有する、
前記第１の送信電力または前記第２の送信電力の一方または両方に関して電力制限条件が満たされていると決定することと、
前記電力制限条件が満たされているという決定に基づいて、前記第１の送信電力または前記第２の送信電力の一方または両方を調整することと
を行うように実行可能な命令を備える、非一時的なコンピュータ可読媒体。
［Ｃ１７］
送信電力制御を行うための装置であって、
プロセッサと、
前記プロセッサと電子通信しているメモリと、
前記メモリに記憶された命令と
を備え、前記命令は、
第１のアップリンク送信および第２のアップリンク送信が、サブフレームのシンボル中の送信のためにスケジューリングされることを決定することと、ここにおいて、前記第１のアップリンク送信は、第１の伝送時間間隔（ＴＴＩ）と第１の送信電力とを有し、前記第２のアップリンク送信は、前記第１のＴＴＩとは異なる第２のＴＴＩと第２の送信電力とを有する、
前記第１の送信電力または前記第２の送信電力の一方または両方に関して電力制限条件が満たされていると決定することと、
前記電力制限条件が満たされているという決定に基づいて、前記第１の送信電力または前記第２の送信電力の一方または両方を調整することと
を行うように前記プロセッサによって実行可能である、装置。
［Ｃ１８］
前記命令は、前記第１のＴＴＩに関する第１の最大電力および前記第２のＴＴＩに関する第２の最大電力の構成を受信するように前記プロセッサによってさらに実行可能である、Ｃ１７に記載の装置。
［Ｃ１９］
前記第１のＴＴＩに関する前記電力制限条件は、前記命令にしたがって、前記第１の送信電力と前記第１の最大電力の比較に基づいて決定され、前記第１の送信電力は、前記電力制限条件が満たされているときに前記第１の最大電力に基づいて調整される、Ｃ１８に記載の装置。
［Ｃ２０］
前記第２のＴＴＩに関する前記電力制限条件は、前記命令にしたがって、前記第２の送信電力と前記第２の最大電力の比較に基づいて決定され、前記第２の送信電力は、前記命令にしたがって、前記電力制限条件が満たされているときに前記第２の最大電力に基づいて調整される、Ｃ１８に記載の装置。
［Ｃ２１］
前記電力制限条件は、前記第１の送信電力と前記第２の送信電力の合計の、前記シンボルの総送信電力との比較に基づいている、Ｃ１７に記載の装置。
［Ｃ２２］
前記命令は、
電力制御モードを示す構成を受信することと、
前記電力制御モードにさらに基づいて送信電力調整を行うことと
を行うように前記プロセッサによってさらに実行可能である、Ｃ１７に記載の装置。
［Ｃ２３］
前記第１の送信電力または前記第２の送信電力の一方または両方を調整するように前記プロセッサによって実行可能な前記命令は、前記第１の送信電力と前記第２の送信電力の合計が前記シンボルの総送信電力を超えないように、前記第１の送信電力または前記第２の送信電力の一方または両方をスケーリングするように前記プロセッサによって実行可能な命令を備える、Ｃ１７に記載の装置。
［Ｃ２４］
前記プロセッサによって実行可能な前記命令は、前記第２の送信電力よりも前記第１の送信電力を優先するように前記プロセッサによって実行可能な命令をさらに備え、前記第１の送信電力または前記第２の送信電力の一方または両方を調整するように前記プロセッサによって実行可能な前記命令は、前記第２の送信電力を保証最小送信電力に調整するように前記プロセッサによって実行可能な命令を含む、Ｃ１７に記載の装置。
［Ｃ２５］
前記命令は、前記第１の送信電力または前記第２の送信電力の一方または両方を調整した後に、前記シンボル中に前記第１のアップリンク送信および前記第２のアップリンク送信を送信するように前記プロセッサによって実行可能な命令をさらに備える、Ｃ１７に記載の装置。
［Ｃ２６］
前記第１のアップリンク送信は、超低レイテンシ（ＵＬＬ）アップリンク送信であり、前記第２のアップリンク送信は、レガシーアップリンク送信である、Ｃ１７に記載の装置。
［Ｃ２７］
前記第２のＴＴＩは１サブフレームに相当し、前記第１のＴＴＩは１より小さいサブフレームに相当する、Ｃ１７に記載の装置。
［Ｃ２８］
前記第１の送信電力または前記第２の送信電力の一方または両方を調整するように前記プロセッサによって実行可能な前記命令は、前記第１のアップリンク送信に関連付けられた変調方式に基づいて前記第１の送信電力または前記第２の送信電力の一方または両方を調整するように前記プロセッサによって実行可能な命令を備える、Ｃ１７に記載の装置。
［Ｃ２９］
前記第１の送信電力または前記第２の送信電力の一方または両方を調整するように前記プロセッサによって実行可能な前記命令は、前記第２のアップリンク送信に関連付けられた変調方式に基づいて前記第１の送信電力または前記第２の送信電力の一方または両方を調整するように前記プロセッサによって実行可能な命令を備える、Ｃ１７に記載の装置。
［Ｃ３０］
前記第１の送信電力または前記第２の送信電力の一方または両方を調整するように前記プロセッサによって実行可能な前記命令は、前記第１のアップリンク送信または前記第２のアップリンク送信の一方または両方に関連付けられたチャネルのタイプに基づいて前記第１の送信電力または前記第２の送信電力の一方または両方を調整するように前記プロセッサによって実行可能な命令を備える、Ｃ１７に記載の装置。
【図１】
0006382451.tif 000002
【図２】
0006382451.tif 000003
【図３】
0006382451.tif 000004
【図４】
0006382451.tif 000005
【図５】
0006382451.tif 000006
【図６】
0006382451.tif 000007
【図７】
0006382451.tif 000008
【図８】
0006382451.tif 000009
【図９】
0006382451.tif 000010
【図１０】
0006382451.tif 000011
【図１１】
0006382451.tif 000012